(57)【要約】  本発明は、メッセージ送信方法、装置、端末、ルータ、プログラム、及び記録媒体に関し、前記方法は、メッセージを受信するステップと、ユーザーの操作状態であるかを判断するステップと、ユーザーの操作状態でないと、ユーザーの操作状態である機器を確認して前記メッセージを前記ユーザーの操作状態である機器に送信するステップと、を含む。本発明の実施例によれば、メッセージを受信したスマート機器がユーザーの操作状態ではないと、ユーザーの操作状態である機器を確認して、受信したメッセージをユーザーの操作状態であるスマート機器に送信することにより、ユーザーが新しいメッセージを受信するように適時に通知して、ユーザーが新しいメッセージを適時に照会することが便利になり、重要なメッセージを見逃すことを防止でき、ユーザーの便宜を図ることができ、ユーザーの体験性を最適化することができる。【選択図】図１
2017531977.tif 000002
【特許請求の範囲】
【請求項１】
メッセージを受信するステップと、
ユーザーの操作状態であるかを判断するステップと、
ユーザーの操作状態でないと、ユーザーの操作状態である機器を確認して、前記メッセージを前記ユーザーの操作状態である機器に送信するステップと、を含むことを特徴とするメッセージ送信方法。
【請求項２】
前記ユーザーの操作状態であるかを判断するステップは、
タッチ操作が存在するかを判断するステップと、
前記タッチ操作が検出されると、ユーザーの操作状態であると判断するステップと、
設定された時間帯内に前記タッチ操作が検出されない、又は画面ロックが検出されると、ユーザーの操作取消し状態であると判断するステップと、を含むことを特徴とする請求項１に記載のメッセージ送信方法。
【請求項３】
前記ユーザーの操作状態であるかを判断するステップは、
ユーザーの着用操作が検出されるか、又はユーザーの脱ぐ操作が検出されるかを判断するステップと、
前記着用操作が検出されると、ユーザーの操作状態であると判断するステップと、
前記脱ぐ操作が検出されると、ユーザーの操作取消し状態であると判断するステップと、を含むことを特徴とする請求項１に記載のメッセージ送信方法。
【請求項４】
ユーザーの操作状態であるかを判断するステップは、
フロントカメラを利用して前方画像を取得するステップと、
顔識別技術を用いて前記前方画像からユーザーの顔画像が検出されるかを判断するステップと、
前記顔画像が検出されると、ユーザーの操作状態であると判断するステップと、
前記顔画像が検出されないと、ユーザーの操作取消し状態であると判断するステップと、を含むことを特徴とする請求項１に記載のメッセージ送信方法。
【請求項５】
ユーザーの操作状態であるかを判断するステップは、
現在の操作状態が取得されないと、制御機器に操作状態である機器を取得する要求を送信するステップと、
前記制御機器が送信する、前記ユーザーの操作状態である機器の識別子を受信するステップと、
受信された識別子が自身の識別子と一致するかを判断するステップと、
受信された識別子が自身の識別子と一致すると、ユーザーの操作状態であると判断するステップと、
受信された識別子が自身の識別子と一致しない場合、ユーザーの操作取消し状態であると判断するステップと、を含み、
前記制御機器は、それぞれのスマート機器に接続され、且つ、それぞれの前記スマート機器の操作状態を維持する機器であることを特徴とする請求項１に記載のメッセージ送信方法。
【請求項６】
前記ユーザーの操作状態である機器を確認するステップは、
制御機器にユーザーの操作状態である機器を取得する要求を送信するステップと、
前記制御機器が送信する、前記ユーザーの操作状態である機器の識別子を受信するステップと、を含み、
前記制御機器は、それぞれのスマート機器に接続され、且つ、それぞれの前記スマート機器の操作状態を維持する機器であることを特徴とする請求項１に記載のメッセージ送信方法。
【請求項７】
ユーザーの操作状態を検出するステップと、
ユーザーの操作状態であることが検出されると、制御機器にユーザーの操作状態である通知を送信するステップをさらに含むことを特徴とする請求項１乃至請求項６のいずれか１項に記載のメッセージ送信方法。
【請求項８】
前記制御機器にユーザーの操作状態である通知を送信するステップは、
制御機器に自体の識別子を携帯するユーザーの操作状態である通知を送信して、前記制御機器が記憶した前記識別子に対応する状態をユーザーの操作状態と表記するようにするステップを含むことを特徴とする請求項７に記載のメッセージ送信方法。
【請求項９】
前記ユーザーの操作状態であることが検出されるステップでは、
ユーザーのタッチ操作、着用操作を検出するステップ、又は顔識別技術を利用して、フロントカメラで撮影した前方画像からユーザーの顔画像を検出するステップ中のいずれか一方のステップを含むことを特徴とする請求項７に記載のメッセージ送信方法。
【請求項１０】
ユーザーの操作状態を検出するステップと、
ユーザーの操作取消し状態であることが検出されると、制御機器にユーザーの操作取消し状態である通知を送信するステップと、をさらに含むことを特徴とする請求項１乃至請求項６のいずれか１項に記載のメッセージ送信方法。
【請求項１１】
前記ユーザーの操作取消し状態であることが検出されるステップでは、
プリセット時間内にユーザーのタッチ操作が検出されないステップ、画面ロックが検出されたステップ、ユーザーの脱ぐ操作が検出されるステップ、又はプリセット時間内に顔識別技術を利用して、フロントカメラで撮影した前方画像から、ユーザーの顔画像が検出されないステップ中のいずれか一方のステップを含むことを特徴とする請求項１０に記載のメッセージ送信方法。
【請求項１２】
制御機器が転送する他のスマート機器が受信したメッセージを受信するステップと、
前記他のスマート機器が受信したメッセージを表示するステップと、をさらに含むことを特徴とする請求項１乃至請求項６のいずれか１項に記載のメッセージ送信方法。
【請求項１３】
前記他のスマート機器が受信したメッセージを表示するステップは、
前記他のスマート機器が受信したメッセージをスクリーン又はガラスにディスプレイするステップを含むことを特徴とする請求項１２に記載のメッセージ送信方法。
【請求項１４】
それぞれのスマート機器との接続を確立するステップと、
ユーザーの操作状態である機器を確認するメッセージを受信すると、ユーザーの操作状態である機器の情報を取得するステップと、
ユーザーの操作状態である機器の情報を返すステップと、を含むことを特徴とするメッセージ送信方法。
【請求項１５】
スマート機器が送信する操作状態である通知を受信するステップと、
前記スマート機器の最新操作状態を記憶するステップと、をさらに含むことを特徴とする請求項１４に記載のメッセージ送信方法。
【請求項１６】
スマート機器が送信する操作取消し状態である通知を受信するステップと、
前記スマート機器の最新操作状態を記憶するステップと、をさらに含むことを特徴とする請求項１４に記載のメッセージ送信方法。
【請求項１７】
スマート機器が送信する、前記スマート機器が受信した新しいメッセージを受信するステップと、
前記メッセージをユーザーの操作状態であるスマート機器に送信するステップと、をさらに含むことを特徴とする請求項１４に記載のメッセージ送信方法。
【請求項１８】
前記ユーザーの操作状態である機器の情報を取得するステップは、
ユーザーの操作状態である機器の情報を照会するステップを含むことを特徴とする請求項１４乃至請求項１７のいずれか１項に記載のメッセージ送信方法。
【請求項１９】
前記それぞれのスマート機器との接続を確立するステップは、
それぞれのスマート機器の識別子を取得するステップと、
それぞれの前記スマート機器の識別子を記憶するステップと、をさらに含むことを特徴とする請求項１４乃至請求項１７のいずれか１項に記載のメッセージ送信方法。
【請求項２０】
それぞれのスマート機器との接続を確立するステップは、
スマート機器と最初の接続を確立する際に、前記スマート機器の外観イメージを取得するステップと、
前記スマート機器の前記外観イメージとスマート機器の識別子を対応するように記憶するステップと、をさらに含むことを特徴とする請求項１４乃至請求項１７のいずれか１項に記載のメッセージ送信方法。
【請求項２１】
前記スマート機器の外観イメージを取得するステップは、
カメラを利用して、それぞれの前記スマート機器の外観イメージを採集して記憶するステップを含むことを特徴とする請求項２０に記載のメッセージ送信方法。
【請求項２２】
前記ユーザーの操作状態である機器の情報を取得するステップは、
ユーザーの操作状態である機器の情報が照会されない場合、室内位置測定技術を利用して、ユーザーの現在位置を測定するステップと、
ユーザーの周囲設定範囲内のスマート機器の画像情報を取得するステップと、
取得した画像情報と記憶されたスマート機器の外観イメージをマッチングさせて類似度（ｓｉｍｉｌａｒｉｔｙ）を取得し、前記類似度が所定の限界値よりも大きい場合、前記画像情報に対応するスマート機器を、ユーザーの操作状態であるスマート機器として確定するステップと、を含むことを特徴とする請求項２０に記載のメッセージ送信方法。
【請求項２３】
前記ユーザーの周囲設定範囲内のスマート機器の画像情報を取得するステップは、
カメラを利用して、ユーザーの周囲設定範囲内のスマート機器の画像情報を採集するステップを含むことを特徴とする請求項２２に記載のメッセージ送信方法。
【請求項２４】
メッセージを受信するように構成される第１のメッセージ受信モジュールと、
ユーザーの操作状態であるかを判断するように構成される判断モジュールと、
ユーザーの操作状態でないと、ユーザーの操作状態である機器を確認して、前記メッセージを前記ユーザーの操作状態である機器に送信するように構成される第１のメッセージ送信モジュールと、を備えることを特徴とするメッセージ送信装置。
【請求項２５】
前記判断モジュールは、
タッチ操作が存在するかを判断するように構成されるタッチ判断サブモジュールと、
前記タッチ操作が検出されると、ユーザーの操作状態であると判断するように構成される第１の操作状態判断サブモジュールと、
設定された時間帯内に前記タッチ操作が検出されない、又は画面ロックが検出されると、ユーザーの操作取消し状態であると判断するように構成される第１の操作取消し状態判断サブモジュールと、を備えることを特徴とする請求項２４に記載のメッセージ送信装置。
【請求項２６】
前記判断モジュールは、
ユーザーの着用操作が検出されるか、又はユーザーの脱ぐ操作が検出されるかを判断するように構成される操作判断サブモジュールと、
前記着用操作が検出されると、ユーザーの操作状態であると判断するように構成される第２の操作状態判断サブモジュールと、
前記脱ぐ操作が検出されると、ユーザーの操作取消し状態であると判断するように構成される第２の操作取消し状態判断サブモジュールと、を備えることを特徴とする請求項２４に記載のメッセージ送信装置。
【請求項２７】
前記判断モジュールは、
フロントカメラを利用して前方画像を取得するように構成される前方画像取得サブモジュールと、
顔識別技術を用いて前記前方画像からユーザーの顔画像が検出されるかを判断するように構成される検出サブモジュールと、
前記顔画像が検出されると、ユーザーの操作状態であると判断するように構成される第３の操作状態判断サブモジュールと、
前記顔画像が検出されないと、ユーザーの操作取消し状態であると判断するように構成される第３の操作取消し状態判断サブモジュールと、を備えることを特徴とする請求項２４に記載のメッセージ送信装置。
【請求項２８】
前記判断モジュールは、
現在の操作状態が取得されないと、制御機器に操作状態である機器を取得する要求を送信するように構成される第１の要求送信サブモジュールと、
前記制御機器が送信する、前記ユーザーの操作状態である機器の識別子を受信するように構成される第１の識別子受信サブモジュールと、
受信された識別子が自身の識別子と一致するかを判断するように構成される識別子判断サブモジュールと、
受信された識別子が自身の識別子と一致すると、ユーザーの操作状態であると判断するように構成される第４の操作状態判断サブモジュールと、
受信された識別子が自身の識別子と一致しない場合、ユーザーの操作取消し状態であると判断するように構成される第４の操作取消し状態判断サブモジュールと、を備える、
前記制御機器は、それぞれのスマート機器に接続され、且つ、それぞれの前記スマート機器の操作状態を維持する機器であることを特徴とする請求項２４に記載のメッセージ送信装置。
【請求項２９】
前記第１のメッセージ送信モジュールは、
制御機器にユーザーの操作状態である機器を取得する要求を送信するように構成される第２の要求送信サブモジュールと、
前記制御機器が送信する、前記ユーザーの操作状態である機器の識別子を受信するように構成される第２の識別子受信サブモジュールと、を備える、
前記制御機器は、それぞれのスマート機器に接続され、且つ、それぞれの前記スマート機器の操作状態を維持する機器であることを特徴とする請求項２４に記載のメッセージ送信装置。
【請求項３０】
ユーザーの操作状態を検出するように構成される第１の検出モジュールと、
ユーザーの操作状態であることが検出されると、制御機器にユーザーの操作状態である通知を送信するように構成される第１の通知送信モジュールと、をさらに備えることを特徴とする請求項２４乃至請求項２９のいずれか１項に記載のメッセージ送信装置。
【請求項３１】
前記第１の通知送信モジュールは、
制御機器に自体の識別子を携帯するユーザーの操作状態である通知を送信して、前記制御機器が記憶した前記識別子に対応する状態をユーザーの操作状態と表記するように構成されることを特徴とする請求項３０に記載のメッセージ送信装置。
【請求項３２】
前記第１の通知送信モジュールは、
ユーザーのタッチ操作、着用操作を検出する、又は顔識別技術を利用して、フロントカメラで撮影した前方画像からユーザーの顔画像を検出するように構成されることを特徴とする請求項３０に記載のメッセージ送信装置。
【請求項３３】
ユーザーの操作状態を検出するように構成される第２の検出モジュールと、
ユーザーの操作取消し状態であることが検出されると、制御機器にユーザーの操作取消し状態である通知を送信するように構成される第２の通知送信モジュールと、をさらに備えることを特徴とする請求項２４乃至請求項２９のいずれか１項に記載のメッセージ送信装置。
【請求項３４】
前記第２の通知送信モジュールは、
プリセット時間内にユーザーのタッチ操作が検出されない、画面ロックが検出される、ユーザーの脱ぐ操作が検出される、又はプリセット時間内に顔識別技術を利用して、フロントカメラで撮影した前方画像から、ユーザーの顔画像が検出されないように構成されることを特徴とする請求項３３に記載のメッセージ送信装置。
【請求項３５】
制御機器が転送する他のスマート機器が受信したメッセージを受信するように構成される第２のメッセージ受信モジュールと、
前記他のスマート機器が受信したメッセージを表示するように構成されるディスプレイモジュールと、をさらに備えることを特徴とする請求項２４乃至請求項２９のいずれか１項に記載のメッセージ送信装置。
【請求項３６】
前記ディスプレイモジュールは、
前記他のスマート機器が受信したメッセージをスクリーン又はガラスにディスプレイするように構成されることを特徴とする請求項３５に記載のメッセージ送信装置。
【請求項３７】
それぞれのスマート機器との接続を確立するように構成される接続確立モジュールと、
ユーザーの操作状態である機器を確認するメッセージを受信すると、ユーザーの操作状態である機器の情報を取得するように構成される機器情報取得モジュールと、
ユーザーの操作状態である機器の情報を返すように構成される機器情報返還モジュールと、を備えることを特徴とするメッセージ送信装置。
【請求項３８】
スマート機器が送信する操作状態である通知を受信するように構成される第１の通知受信モジュールと、
前記スマート機器の最新操作状態を記憶するように構成される第１の記憶モジュールと、をさらに備えることを特徴とする請求項３７に記載のメッセージ送信装置。
【請求項３９】
スマート機器が送信する操作取消し状態通知を受信するように構成される第２の通知受信モジュールと、
前記スマート機器の最新操作状態を記憶するように構成される第２の記憶モジュールと、をさらに備えることを特徴とする請求項３７に記載のメッセージ送信装置。
【請求項４０】
スマート機器が送信する、前記スマート機器が受信した新しいメッセージを受信するように構成される第３のメッセージ受信モジュールと、
前記メッセージをユーザーの操作状態であるスマート機器に送信するように構成される第２のメッセージ送信モジュールと、をさらに備えることを特徴とする請求項３７に記載のメッセージ送信装置。
【請求項４１】
前記機器情報取得モジュールは、
ユーザーの操作状態である機器の情報を照会するように構成されることを特徴とする請求項３７乃至請求項４０のいずれか１項に記載のメッセージ送信装置。
【請求項４２】
前記接続確立モジュールは、
それぞれのスマート機器の識別子を取得するように構成される識別子取得サブモジュールと、
それぞれの前記スマート機器の識別子を記憶するように構成される識別子記憶サブモジュールと、を備えることを特徴とする請求項３７乃至請求項４０のいずれか１項に記載のメッセージ送信装置。
【請求項４３】
前記接続確立モジュールは、
スマート機器と最初の接続を確立する際に、前記スマート機器の外観イメージを取得するように構成される画像取得サブモジュールと、
前記スマート機器の前記外観イメージとスマート機器の識別子を対応するように記憶するように構成される画像記憶サブモジュールと、を備えることを特徴とする請求項３７乃至請求項４０のいずれか１項に記載のメッセージ送信装置。
【請求項４４】
前記画像取得サブモジュールは、
カメラを利用して、それぞれの前記スマート機器の外観イメージを採集して記憶するように設定されることを特徴とする請求項４３に記載のメッセージ送信装置。
【請求項４５】
前記機器情報取得モジュールは、
ユーザーの操作状態である機器の情報が照会されない場合、室内位置測定技術を利用して、ユーザーの現在位置を測定するように構成される位置測定サブモジュールと、
ユーザーの周囲設定範囲内のスマート機器の画像情報を取得するように構成される画像情報取得サブモジュールと、
取得した画像情報と記憶されたスマート機器の外観イメージをマッチングさせて類似度（ｓｉｍｉｌａｒｉｔｙ）を取得し、前記類似度が所定の限界値よりも大きい場合、前記画像情報に対応するスマート機器を、ユーザーの操作状態であるスマート機器として確定するように構成される確定サブモジュールと、を備えることを特徴とする請求項４３に記載のメッセージ送信装置。
【請求項４６】
前記画像情報取得サブモジュールは、
カメラを利用して、ユーザーの周囲設定範囲内のスマート機器の画像情報を採集するように構成されることを特徴とする請求項４３に記載のメッセージ送信装置。
【請求項４７】
プロセッサーと、
前記プロセッサーによって実行可能な命令を記憶するメモリと、を備え、
前記プロセッサーは、
メッセージを受信し、
ユーザーの操作状態であるかを判断し、
ユーザーの操作状態でないと、ユーザーの操作状態である機器を確認して、前記メッセージを前記ユーザーの操作状態である機器に送信するように構成されることを特徴とする端末。
【請求項４８】
プロセッサーと、
前記プロセッサーによって実行可能な命令を記憶するメモリと、を備え、
前記プロセッサーは、
それぞれのスマート機器との接続を確立し、
ユーザーの操作状態である機器を確認するメッセージを受信すると、ユーザーの操作状態である機器の情報を取得して、
ユーザーの操作状態である機器の情報を返すように構成されることを特徴とするルータ。
【発明の詳細な説明】
【技術分野】
【０００１】
本発明は、通信ネットワーク技術分野に関し、より詳細には、メッセージ送信方法、装置、端末、及びルータに関する。
【背景技術】
【０００２】
スマート機器の発展や普及につれて、ユーザーは、複数のスマート機器、例えば、スマートフォン、ウェアラブル機器、タブレットＰＣなどを所有可能である。ユーザーは、このようなスマート機器にてメッセージを送受信し、ＡＰＰ（Ａｐｐｌｉｃａｔｉｏｎ、アプリケーションプログラム）などを使用する。従って、複数のスマート機器のすべてがメッセージや、通知などを受信可能である。
【発明の概要】
【発明が解決しようとする課題】
【０００３】
本発明は、関連技術に存在する問題点を解決するために、メッセージ送信方法、装置、端末、及びルータを提供する。
【課題を解決するための手段】
【０００４】
本発明の第１の態様によれば、メッセージ送信方法が提供され、前記方法は、
メッセージを受信するステップと、
ユーザーの操作状態であるかを判断するステップと、
ユーザーの操作状態でないと、ユーザーの操作状態である機器を確認して、前記メッセージを前記ユーザーの操作状態である機器に送信するステップと、を含む。
【０００５】
好ましくは、前記ユーザーの操作状態であるかを判断するステップは、
タッチ操作が存在するかを判断するステップと、
前記タッチ操作が検出されると、ユーザーの操作状態であると判断するステップと、
設定された時間帯内に前記タッチ操作が検出されない、又は画面ロックが検出されると、ユーザーの操作取消し状態であると判断するステップと、を含む。
【０００６】
好ましくは、前記ユーザーの操作状態であるかを判断するステップは、
ユーザーの着用操作が検出されるか、又はユーザーの脱ぐ操作が検出されるかを判断するステップと、
前記着用操作が検出されると、ユーザーの操作状態であると判断するステップと、
前記脱ぐ操作が検出されると、ユーザーの操作取消し状態であると判断するステップと、を含む。
【０００７】
好ましくは、ユーザーの操作状態であるかを判断するステップは、
フロントカメラを利用して前方画像を取得するステップと、
顔識別技術を用いて前記前方画像からユーザーの顔画像が検出されるかを判断するステップと、
前記顔画像が検出されると、ユーザーの操作状態であると判断するステップと、
前記顔画像が検出されないと、ユーザーの操作取消し状態であると判断するステップと、を含む。
【０００８】
好ましくは、ユーザーの操作状態であるかを判断するステップは、
現在の操作状態が取得されないと、制御機器に操作状態である機器を取得する要求を送信するステップと、
前記制御機器が送信する、前記ユーザーの操作状態である機器の識別子を受信するステップと、
受信された識別子が自身の識別子と一致するかを判断するステップと、
受信された識別子が自身の識別子と一致すると、ユーザーの操作状態であると判断するステップと、
受信された識別子が自身の識別子と一致しない場合、ユーザーの操作取消し状態であると判断するステップと、を含み、
前記制御装置は、それぞれのスマート機器に接続され、且つ、それぞれの前記スマート機器の操作状態を維持する機器である。
【０００９】
好ましくは、前記ユーザーの操作状態である機器を確認するステップは、
制御機器にユーザーの操作状態である機器を取得する要求を送信するステップと、
前記制御機器が送信する、前記ユーザーの操作状態である機器の識別子を受信するステップと、を含み、
前記制御装置は、それぞれのスマート機器に接続され、且つ、それぞれの前記スマート機器の操作状態を維持する機器である。
【００１０】
好ましくは、前記方法は、
ユーザーの操作状態を検出するステップと、
ユーザーの操作状態であることが検出されると、制御機器にユーザーの操作状態である通知を送信するステップをさらに含む。
【００１１】
好ましくは、前記制御機器にユーザーの操作状態である通知を送信するステップは、
制御機器に自体の識別子を携帯するユーザーの操作状態である通知を送信して、前記制御機器が記憶した前記識別子に対応する状態をユーザーの操作状態と表記するようにするステップを含む。
【００１２】
好ましくは、前記ユーザーの操作状態であることが検出されるステップでは、
ユーザーのタッチ操作、着用操作を検出するステップ、又は顔識別技術を利用して、フロントカメラで撮影した前方画像からユーザーの顔画像を検出するステップ中のいずれか一方のステップを含む。
【００１３】
好ましくは、前記方法は、ユーザーの操作状態を検出するステップと、
ユーザーの操作取消し状態であることが検出されると、前記制御機器にユーザーの操作取消し状態である通知を送信するステップと、をさらに含む。
【００１４】
好ましくは、前記ユーザーの操作取消し状態であることが検出されるステップでは、
プリセット時間内にユーザーのタッチ操作が検出されないステップ、画面ロックが検出されたステップ、ユーザーの脱ぐ操作が検出されるステップ、又はプリセット時間内に顔識別技術を利用して、フロントカメラで撮影した前方画像から、ユーザーの顔画像が検出されないステップ中のいずれか一方のステップを含む。
【００１５】
好ましくは、前記方法は、
制御機器が転送する他のスマート機器が受信したメッセージを受信するステップと、
前記他のスマート機器が受信したメッセージを表示するステップと、をさらに含む。
【００１６】
好ましくは、前記他のスマート機器が受信したメッセージを表示するステップは、
前記他のスマート機器が受信したメッセージをスクリーン又はガラスにディスプレイするステップを含むことを特徴とする請求項１２に記載のメッセージ送信方法。
【００１７】
本発明の第２の態様によれば、メッセージ送信方法が提供され、前記方法は、
それぞれのスマート機器との接続を確立するステップと、
ユーザーの操作状態である機器を確認するメッセージを受信すると、ユーザーの操作状態である機器の情報を取得するステップと、
ユーザーの操作状態である機器の情報を返すステップと、を含む。
【００１８】
好ましくは、前記方法は、
スマート機器が送信する操作状態である通知を受信するステップと、
前記スマート機器の最新操作状態を記憶するステップと、をさらに含む。
【００１９】
好ましくは、前記方法は、
スマート機器が送信する操作取消し状態である通知を受信するステップと、
前記スマート機器の最新操作状態を記憶するステップと、をさらに含む。
【００２０】
好ましくは、前記方法は、
スマート機器が送信する、前記スマート機器が受信した新しいメッセージを受信するステップと、
前記メッセージをユーザーの操作状態であるスマート機器に送信するステップと、をさらに含む。
【００２１】
好ましくは、前記ユーザーの操作状態である機器の情報を取得するステップは、
ユーザーの操作状態である機器の情報を照会するステップを含む。
【００２２】
好ましくは、前記それぞれのスマート機器との接続を確立するステップは、
それぞれのスマート機器の識別子を取得するステップと、
それぞれの前記スマート機器の識別子を記憶するステップと、をさらに含む。
【００２３】
好ましくは、それぞれのスマート機器との接続を確立するステップは、
スマート機器と最初の接続を確立する際に、前記スマート機器の外観イメージを取得するステップと、
前記スマート機器の前記外観イメージとスマート機器の識別子を対応するように記憶するステップと、をさらに含む。
【００２４】
好ましくは、前記スマート機器の外観イメージを取得するステップは、
カメラを利用して、それぞれの前記スマート機器の外観イメージを採集して記憶するステップを含む。
【００２５】
好ましくは、前記ユーザーの操作状態である機器の情報を取得するステップは、
ユーザーの操作状態である機器の情報が照会されない場合、室内位置測定技術を利用して、ユーザーの現在位置を測定するステップと、
ユーザーの周囲設定範囲内のスマート機器の画像情報を取得するステップと、
取得した画像情報と記憶されたスマート機器の外観イメージをマッチングさせて類似度（ｓｉｍｉｌａｒｉｔｙ）を取得し、前記類似度が所定の限界値よりも大きい場合、前記画像情報に対応するスマート機器を、ユーザーの操作状態であるスマート機器として確定するステップと、を含む。
【００２６】
好ましくは、前記ユーザーの周囲設定範囲内のスマート機器の画像情報を取得するステップは、
カメラを利用して、ユーザーの周囲設定範囲内のスマート機器の画像情報を採集するステップを含む。
【００２７】
本発明の第３の態様によれば、メッセージ送信装置が提供され、前記装置は、
メッセージを受信するように構成される第１のメッセージ受信モジュールと、
ユーザーの操作状態であるかを判断するように構成される判断モジュールと、
ユーザーの操作状態でないと、ユーザーの操作状態である機器を確認して、前記メッセージを前記ユーザーの操作状態である機器に送信するように構成される第１のメッセージ送信モジュールと、を備える。
【００２８】
好ましくは、前記判断モジュールは、
タッチ操作が存在するかを判断するように構成されるタッチ判断サブモジュールと、
前記タッチ操作が検出されると、ユーザーの操作状態であると判断するように構成される第１の操作状態判断サブモジュールと、
設定された時間帯内に前記タッチ操作が検出されない、又は画面ロックが検出されると、ユーザーの操作取消し状態であると判断するように構成される第１の操作取消し状態判断サブモジュールと、を備える。
【００２９】
好ましくは、前記判断モジュールは、
ユーザーの着用操作が検出されるか、又はユーザーの脱ぐ操作が検出されるかを判断するように構成される操作判断サブモジュールと、
前記着用操作が検出されると、ユーザーの操作状態であると判断するように構成される第２の操作状態判断サブモジュールと、
前記脱ぐ操作が検出されると、ユーザーの操作取消し状態であると判断するように構成される第２の操作取消し状態判断サブモジュールと、を備える。
【００３０】
好ましくは、前記判断モジュールは、
フロントカメラを利用して前方画像を取得するように構成される前方画像取得サブモジュールと、
顔識別技術を用いて前記前方画像からユーザーの顔画像が検出されるかを判断するように構成される検出サブモジュールと、
前記顔画像が検出されると、ユーザーの操作状態であると判断するように構成される第３の操作状態判断サブモジュールと、
前記顔画像が検出されないと、ユーザーの操作取消し状態であると判断するように構成される第３の操作取消し状態判断サブモジュールと、を備える。
【００３１】
好ましくは、前記判断モジュールは、
現在の操作状態が取得されないと、制御機器に操作状態である機器を取得する要求を送信するように構成される第１の要求送信サブモジュールと、
前記制御機器が送信する、前記ユーザーの操作状態である機器の識別子を受信するように構成される第１の識別子受信サブモジュールと、
受信された識別子が自身の識別子と一致するかを判断するように構成される識別子判断サブモジュールと、
受信された識別子が自身の識別子と一致すると、ユーザーの操作状態であると判断するように構成される第４の操作状態判断サブモジュールと、
受信された識別子が自身の識別子と一致しない場合、ユーザーの操作取消し状態であると判断するように構成される第４の操作取消し状態判断サブモジュールと、を備える、
前記制御装置は、それぞれのスマート機器に接続され、且つ、それぞれの前記スマート機器の操作状態を維持する機器である。
【００３２】
好ましくは、前記第１のメッセージ送信モジュールは、
制御機器にユーザーの操作状態である機器を取得する要求を送信するように構成される第２の要求送信サブモジュールと、
前記制御機器が送信する、前記ユーザーの操作状態である機器の識別子を受信するように構成される第２の識別子受信サブモジュールと、を備える、
前記制御装置は、それぞれのスマート機器に接続され、且つ、それぞれの前記スマート機器の操作状態を維持する機器である。
【００３３】
好ましくは、前記装置は、
ユーザーの操作状態を検出するように構成される第１の検出モジュールと、
ユーザーの操作状態であることが検出されると、制御機器にユーザーの操作状態である通知を送信するように構成される第１の通知送信モジュールと、をさらに備える。
【００３４】
好ましくは、前記第１の通知送信モジュールは、
制御機器に自体の識別子を携帯するユーザーの操作状態である通知を送信して、前記制御機器が記憶した前記識別子に対応する状態をユーザーの操作状態と表記するように構成される。
【００３５】
好ましくは、前記第１の通知送信モジュールは、
ユーザーのタッチ操作、着用操作を検出する、又は顔識別技術を利用して、フロントカメラで撮影した前方画像からユーザーの顔画像を検出するように構成される。
【００３６】
好ましくは、前記装置は、
ユーザーの操作状態を検出するように構成される第２の検出モジュールと、
ユーザーの操作取消し状態であることが検出されると、前記制御機器にユーザーの操作取消し状態である通知を送信するように構成される第２の通知送信モジュールと、をさらに備える。
【００３７】
好ましくは、前記第２の通知送信モジュールは、
プリセット時間内にユーザーのタッチ操作が検出されない、画面ロックが検出される、ユーザーの脱ぐ操作が検出される、又はプリセット時間内に顔識別技術を利用して、フロントカメラで撮影した前方画像から、ユーザーの顔画像が検出されないように構成される。
【００３８】
好ましくは、前記装置は、
制御機器が転送する他のスマート機器が受信したメッセージを受信するように構成される第２のメッセージ受信モジュールと、
前記他のスマート機器が受信したメッセージを表示するように構成されるディスプレイモジュールと、をさらに備える。
【００３９】
好ましくは、前記ディスプレイモジュールは、
前記他のスマート機器が受信したメッセージをスクリーン又はガラスにディスプレイするように構成される。
【００４０】
本発明の第４の態様によれば、メッセージ送信装置が提供され、前記装置は、
それぞれのスマート機器との接続を確立するように構成される接続確立モジュールと、
ユーザーの操作状態である機器を確認するメッセージを受信すると、ユーザーの操作状態である機器の情報を取得するように構成される機器情報取得モジュールと、
ユーザーの操作状態である機器の情報を返すように構成される機器情報返還モジュールと、を備える。
【００４１】
好ましくは、前記装置は、
スマート機器が送信する操作状態である通知を受信するように構成される第１の通知受信モジュールと、
前記スマート機器の最新操作状態を記憶するように構成される第１の記憶モジュールと、をさらに備える。
【００４２】
好ましくは、前記装置は、
スマート機器が送信する操作取消し状態通知を受信するように構成される第２の通知受信モジュールと、
前記スマート機器の最新操作状態を記憶するように構成される第２の記憶モジュールと、をさらに備える。
【００４３】
好ましくは、前記装置は、
スマート機器が送信する、前記スマート機器が受信した新しいメッセージを受信するように構成される第３のメッセージ受信モジュールと、
前記メッセージをユーザーの操作状態であるスマート機器に送信するように構成される第２のメッセージ送信モジュールと、をさらに備える。
【００４４】
好ましくは、前記機器情報取得モジュールは、
ユーザーの操作状態である機器の情報を照会するように構成される。
【００４５】
好ましくは、前記接続確立モジュールは、
それぞれのスマート機器の識別子を取得するように構成される識別子取得サブモジュールと、
それぞれの前記スマート機器の識別子を記憶するように構成される識別子記憶サブモジュールと、を備える。
【００４６】
好ましくは、前記接続確立モジュールは、
スマート機器と最初の接続を確立する際に、前記スマート機器の外観イメージを取得するように構成される画像取得サブモジュールと、
前記スマート機器の前記外観イメージとスマート機器の識別子を対応するように記憶するように構成される画像記憶サブモジュールと、を備える。
【００４７】
好ましくは、前記画像取得サブモジュールは、
カメラを利用して、それぞれの前記スマート機器の外観イメージを採集して記憶するように設定される。
【００４８】
好ましくは、前記機器情報取得モジュールは、
ユーザーの操作状態である機器の情報が照会されない場合、室内位置測定技術を利用して、ユーザーの現在位置を測定するように構成される位置測定サブモジュールと、
ユーザーの周囲設定範囲内のスマート機器の画像情報を取得するように構成される画像情報取得サブモジュールと、
取得した画像情報と記憶されたスマート機器の外観イメージをマッチングさせて類似度（ｓｉｍｉｌａｒｉｔｙ）を取得し、前記類似度が所定の限界値よりも大きい場合、前記画像情報に対応するスマート機器を、ユーザーの操作状態であるスマート機器として確定するように構成される確定サブモジュールと、を備える。
【００４９】
好ましくは、前記画像情報取得サブモジュールは、
カメラを利用して、ユーザーの周囲設定範囲内のスマート機器の画像情報を採集するように構成される。
【００５０】
本発明の第５の態様によれば、端末が提供され、前記端末は、
プロセッサーと、
前記プロセッサーによって実行可能な命令を記憶するメモリと、を備え、
前記プロセッサーは、
メッセージを受信し、
ユーザーの操作状態であるかを判断し、
ユーザーの操作状態でないと、ユーザーの操作状態である機器を確認して、前記メッセージを前記ユーザーの操作状態である機器に送信するように構成される。
【００５１】
本発明の第６の態様によれば、ルータが提供され、前記ルータは、
プロセッサーと、
前記プロセッサーによって実行可能な命令を記憶するメモリと、を備え、
前記プロセッサーは、
それぞれのスマート機器との接続を確立し、
ユーザーの操作状態である機器を確認するメッセージを受信すると、ユーザーの操作状態である機器の情報を取得して、
ユーザーの操作状態である機器の情報を返すように構成される。
【発明の効果】
【００５２】
本発明の実施例を示した技術的案によると、以下のような作用効果を奏することができる。
【００５３】
本発明では、メッセージを受信したスマート機器がユーザーの操作状態ではないと、ユーザーの操作状態である機器を確認して、受信したメッセージをユーザーの操作状態であるスマート機器に送信することにより、ユーザーが新しいメッセージを受信するように適時に通知して、ユーザーが新しいメッセージを適時に照会することが便利になり、重要なメッセージを見逃すことを防止でき、ユーザーの便宜を図ることができ、ユーザーの体験性を最適化することができる。
【００５４】
本発明では、メッセージを受信したスマート機器は、タッチ操作が検出されるか、着用操作又は脱ぐ操作が検出されるか、及びユーザーの顔画像が採集されるかに基づいて、自体がユーザーの操作状態であるかを判断し、また、制御機器からユーザーの操作状態である機器の識別子を取得して、自体がユーザーの操作状態であるかを判断する。前記方式は簡単であり、容易に実現できる。
【００５５】
本発明では、スマート機器が、制御機器からユーザーの操作状態である機器の別子を取得して、現在のユーザーの操作状態である機器を確定して、メッセージを前記機器に送信するようにして、ユーザーが適時に照会することが便利になる。
【００５６】
本発明では、スマート機器は、検出された操作に基づいて、制御機器にそれぞれの状態を報告する。例えば、スマート機器がスマート端末である場合、ユーザーのタッチ操作、把持操作、着用操作などが検出されるとき、制御機器にユーザーの操作状態である通知をすべてが報告することができて、制御機器が、記憶された対応する状態をユーザーの操作状態として表記することができる。相応的に、スマート機器がこれらの操作を検出していない、又は画面ロックが検出され、又は脱ぐ操作などが検出されると、制御機器にユーザーの操作取消し状態である通知を報告して、制御機器が適時にそれぞれのスマート機器の状態を変更するようにし、どのスマート機器がユーザーの操作状態であるかを判断するスマート機器に影響を与えることを防止できる。
【００５７】
本発明では、スマート機器は、制御機器からのメッセージを、例えば、スクリーン等に表示して、適時にユーザーの注意を喚起するように通知して、ユーザーが重要なメッセージを見逃すことを防止できる。また、メッセージを受信したスマート機器、即ち、ユーザーの操作状態であるスマート機器の場合、受信したメッセージに対しても通知する。
【００５８】
本発明では、制御機器は、ユーザーの操作状態であることを確認される機器のメッセージを受信したときに、ユーザーの操作状態である機器の情報を取得するとともに、当該情報をスマート機器に返還する。これで、メッセージを受信したスマート機器が適時にそのメッセージをユーザーの操作状態であるスマート機器に送信するようにし、これによって、ユーザーが適時に新しいメッセージを受信するように通知して、ユーザーが新しいメッセージを適時に照会することが便利なり、重要なメッセージを見逃すことが防止でき、ユーザーの便宜を図り、ユーザーの体験性を最適化することができる。
【００５９】
本発明では、制御機器は、受信した操作状態である通知に基づいて、前記スマート機器の状態を記憶する。例えば、前記通知が操作状態である通知であれば、前記スマート機器に対応する状態をユーザーの操作状態であるとして記憶し、前記通知が操作取消し状態である通知であれば、前記スマート機器に対応する状態をユーザーの取消し操作状態であるとして記憶する。これによって、制御機器が適時にそれぞれのスマート機器の状態を変更して、どのスマート機器がユーザーの操作状態であるスマート機器であるかを判断するに影響を与えることを防止できる。
【００６０】
本発明では、制御機器は、スマート機器との最初の接続を確立する際に、さらに、前記スマート機器の外観画像を記憶することができる。このようにして、制御機器がユーザーの操作状態であるスマート機器を照会できなかったときに、ユーザーに対して位置測定を行い、ユーザーの周囲設定範囲内のスマート機器の画像情報を取得し、画像情報に基づいて前記スマート機器が記憶されたスマート機器であると判断するとき、前記スマート機器をユーザーの操作状態であるスマート機器として確定する。このような方式を介して、制御機器がユーザーの操作状態であるスマート機器の状態を適時に更新しなかったとき、画像情報を介して容易にユーザーの操作状態であるスマート機器を確定して、ユーザーが新しいメッセージを受信するように適時に通知する。
【００６１】
なお、前記一般的な記載及び後述の詳細な記載は、単なる例示的で解釈的な記載であり、本発明を限定しない。
【図面の簡単な説明】
【００６２】
以下の図面は、明細書に組み入れて本明細書の一部分を構成し、本発明に該当する実施例を例示するとともに、明細書とともに本発明の原理を解釈する。
【図１】本発明の一例示的な実施例に係るメッセージ送信方法を示すフローチャートである。
【図２】本発明の一例示的な実施例に係る他のメッセージ送信方法を示すフローチャートである。
【図３】本発明の一例示的な実施例に係る他のメッセージ送信方法を示すフローチャートである。
【図４】本発明の一例示的な実施例に係る他のメッセージ送信方法を示すフローチャートである。
【図５】本発明の一例示的な実施例に係るメッセージ送信方法を応用する場面を示す説明図である。
【図６】本発明の一例示的な実施例に係るメッセージ送信装置を示すブロック図である。
【図７】本発明の一例示的な実施例に係る他のメッセージ送信装置を示すブロック図である。
【図８】本発明の一例示的な実施例に係る他のメッセージ送信装置を示すブロック図である。
【図９】本発明の一例示的な実施例に係る他のメッセージ送信装置を示すブロック図である。
【図１０】本発明の一例示的な実施例に係る他のメッセージ送信装置を示すブロック図である。
【図１１】本発明の一例示的な実施例に係る他のメッセージ送信装置を示すブロック図である。
【図１２】本発明の一例示的な実施例に係る他のメッセージ送信装置を示すブロック図である。
【図１３】本発明の一例示的な実施例に係る他のメッセージ送信装置を示すブロック図である。
【図１４】本発明の一例示的な実施例に係る他のメッセージ送信装置を示すブロック図である。
【図１５】本発明の一例示的な実施例に係る他のメッセージ送信装置を示すブロック図である。
【図１６】本発明の一例示的な実施例に係る他のメッセージ送信装置を示すブロック図である。
【図１７】本発明の一例示的な実施例に係る他のメッセージ送信装置を示すブロック図である。
【図１８】本発明の一例示的な実施例に係る他のメッセージ送信装置を示すブロック図である。
【図１９】本発明の一例示的な実施例に係る他のメッセージ送信装置を示すブロック図である。
【図２０】本発明の一例示的な実施例に係る他のメッセージ送信装置を示すブロック図である。
【図２１】本発明の一例示的な実施例に係る他のメッセージ送信装置を示すブロック図である。
【図２２】本発明の一例示的な実施例に係るメッセージ送信装置に応用される一構造を示す説明図である。
【図２３】本発明の一例示的な実施例に係るメッセージ送信装置に応用される一構造を示す説明図である。
【発明を実施するための形態】
【００６３】
以下、例示的な実施例を詳しく説明し、その例示を図面に示す。以下の記載が図面に関わる場合、特に別の説明がない限り、異なる図面における同一符号は、同じ又は類似する要素を示す。以下の例示的な実施形態に記載の実施例は、本発明と一致する全ての実施例を代表するものではない。それらは、特許請求の範囲に記載の本発明のある側面に一致する装置及び方法の例に過ぎない。
【００６４】
本発明に記載の用語は、特定の実施例を説明する目的で使用されるものに過ぎず、本発明を限定するものではない。本発明及び添付された特許請求の範囲に記載の単数形式の「１種類」、「前記」及び「当該」は、前後の文章においてそれぞれ他の意味を含有すると明確に記載される以外には、複数の形式も含む。なお、本発明に記載の「及び／又は」は、挙げられる事項の１つ又は複数の何れ又は全ての組み合わせを意味する。
【００６５】
また、本発明は、第１の、第２、第３の等の用語を使って各種の情報を説明するが、それらの情報は前記用語に限定されない。それらの用語は、同一種類の情報同士を区分するためのものに過ぎない。例えば、本発明の範囲から逸脱しない範囲で、第１の情報を第２の情報と称しても良い。同じように、第２の情報を第１の情報と称してもよい。ここで使っている用語「……場合」は、上下文の意味によって、「……時」或は「……と」又は「確定に応じる」に解釈されてもよい。
【００６６】
図１に示すように、図１は、本発明の一例示的な実施例に係るメッセージ送信方法を示すフローチャートである。前記方法は、スマート機器に応用可能であり、以下のようなステップを含んでもよい。
【００６７】
ステップ１０１：メッセージを受信する。
【００６８】
本発明のスマート機器は端末、ウェアラブル機器、スマート家電が含まれ、端末は、インターネットにアクセス可能な機能を備える、例えば具体的に、携帯電話、タブレットＰＣ、ＰＤＡ（Ｐｅｒｓｏｎａｌ Ｄｉｇｉｔａｌ Ａｓｓｉｓｔａｎｔ）などのいずれのスマート端末であってもよい。ウェアラブル機器は、スマートフォン、スマート腕時計、スマートブレスレット、スマートメガネなどが含んでもよい。スマート家電機器は、スマートＴＶ、スマートエアコンなどが含んでもよい。ここで、スマート機器は、Ｗｉ-Ｆｉ（Ｗｉｒｅｌｅｓｓ Ｆｉｄｅｌｉｔｙ）ネットワークを介してルータにアクセスし、ルータを介して公衆ネットワークのサーバを訪問し、ルータによってそれぞれのスマート機器との間のデータ通信を実現できる。本発明のルータは、スマートルータ機器として、従来のルータ機能を備えることだけでなく、独立したオペレーティングシステム及びディスクをさらに含むことができ、前記ディスクの記憶領域の大きさは、需要に応じて、例えば、１Ｔに柔軟に設定することができる。
【００６９】
ステップ１０２：ユーザーの操作状態であるかを判断する。
【００７０】
本発明のステップでは、メッセージを受信したスマート機器は、必ずユーザーの操作状態であるスマート機器であると言うことができない。例えば、ユーザーのスマートフォンがショートメッセージを受信したが、スマートフォンは、ユーザーにより机の上に置かれ、ユーザーはソファーに座ってスマートＴＶを見ているので、ユーザーは机の上にあるスマートフォンのメッセージ通知音を聞くことができない。このような状況では、スマートＴＶがユーザーの操作状態であるスマート機器である。
【００７１】
ステップ１０３：ユーザーの操作状態でないと、ユーザーの操作状態である機器を確認し、メッセージをユーザーの操作状態である機器に送信する。
【００７２】
メッセージを受信したスマート機器がユーザーの操作状態でないと、受信したメッセージをユーザーの操作状態である機器に送信して、ユーザーに新しいメッセージを受信されたことを適時に通知する必要がある。
【００７３】
本発明では、メッセージを受信したスマート機器がユーザーの操作状態ではないと、ユーザーの操作状態である機器を確認して、受信したメッセージをユーザーの操作状態であるスマート機器に送信することにより、ユーザーが新しいメッセージを受信するように適時に通知して、ユーザーが新しいメッセージを適時に照会することが便利になり、重要なメッセージを見逃すことを防止でき、ユーザーの便宜を図ることができ、ユーザーの体験性を最適化することができる。
【００７４】
図２に示すように、図２は、本発明の一例示的な実施例に係るメッセージ送信方法を示すフローチャートであり、前記方法は、スマート機器に応用可能であり、以下のようなステップを含んでもよい。
【００７５】
ステップ２０１：メッセージを受信する。
【００７６】
本発明のステップでは、スマートフォンがメッセージを受信する場合を例に挙げて説明する。実際の応用において、メッセージを受信する機器は、さらにタブレットＰＣなどであってもよい。スマートフォンが受信するメッセージは、着信、ショートメッセージ、ソーシャルネットワーク情報、インスタントメッセージング、アプリのプッシュ通知などが含んでもよい。
【００７７】
ステップ２０２：タッチ操作が存在するかを判断する。
【００７８】
本発明のステップでは、検出されるタッチ操作は、画面に対するタッチ操作や、端末の他の部分を把持する操作が含んでもよい。
【００７９】
ステップ２０３：タッチ操作が検出されると、ユーザーの操作状態であると判断する。設定された時間帯内に前記タッチ操作が検出されない、又は画面ロックが検出されると、ユーザーの操作取消し状態であると判断する。
【００８０】
前記設定された時間帯は、例えば、数秒乃至十数秒の時間帯であってもよい。
【００８１】
また、ステップ２０２乃至ステップ２０３で、メッセージを受信したスマート機器がユーザーの操作状態であるかを確認することは、以下のような方式によって実現されてもよい。即ち、
一つの公開の方式において、端末はまた、ユーザーの着用操作が検出されるか、又はユーザーの脱ぐ操作が検出されるかを判断することができ、
着用操作が検出されると、端末がユーザーの操作状態であると判断して、脱ぐ操作が検出されると、ユーザーの操作取消し状態であると判断する。
【００８２】
この方式は、主に前記スマート機器が、例えば、スマートメガネ、スマートブレスレットなどのウェアラブル機器である場合の操作である。
【００８３】
一つの公開の方式において、端末はまた、フロントカメラを利用して前方画像を取得し、顔画像技術を利用して撮影した前方画像からユーザーの顔画像が検出されるかを判断し、
ユーザーの顔画像が検出されると、ユーザーの操作状態であると判断し、ユーザーの顔画像が検出されない場合、ユーザーの操作取消し状態であると判断する。
【００８４】
一つの公開の方式において、現在の操作状が取得されない場合、端末はまた、制御機器に操作状態である機器を取得する要求を送信する。前記制御装置は、それぞれのスマート機器に接続され、また、それぞれのスマート機器の操作状態を維持する機器、例えば、ルータである。
【００８５】
そして、端末は、制御機器が送信するユーザーの操作状態である機器の識別子を受信し、端末は、受信された識別子が自身の識別子と一致するかを判断し、
受信された識別子が自身の識別子と一致すると、ユーザーの操作状態であると判断し、受信した識別子が自身の識別子と一致しない場合、ユーザーの操作取消し状態であると判断する。
【００８６】
ステップ２０４：ユーザーの操作状態でないと、制御機器にユーザーの操作状態である機器を取得する要求を送信する。
【００８７】
また、前記ステップでユーザーの取消し操作状態であると判断されると、即ち、ユーザーの操作状態でないと、制御機器に前記要求を送信する。
【００８８】
ステップ２０５：制御機器が送信するユーザーの操作状態である機器の識別子を受信する。
【００８９】
本発明の実施例では、制御機器は、それぞれのスマート機器の識別子と対応する状態が記憶される。前記状態は、ユーザーの操作状態、及びユーザーの操作取消し状態を含む。
【００９０】
ステップ２０６：前記メッセージをユーザーの操作状態である機器に送信する。
【００９１】
メッセージを受信したスマート機器は、制御機器が返還する識別子に基づいてメッセージを前記識別子に対応するユーザー操作状態である機器に送信する。
【００９２】
また、本発明の実施例は、以下のステップ２０７乃至ステップ２０８をさらに含んでもよい。なお、本発明の実施例は、以下のステップ２０７乃至ステップ２０８と、前記ステップ２０１乃至ステップ２０６とは前後関係が限定されない。つまり、必ずしもステップ２０６の後で実行することはない。事実上、ステップ２０７乃至ステップ２０８は、スマート端末と制御機器が接続を確立した後のいずれか時刻に行ってもよい。
【００９３】
ステップ２０７：ユーザーの操作状態を検出する。
【００９４】
本発明のステップでは、制御機器に接続されたスマート機器は、自体がユーザーの操作状態であるかを検出する。
【００９５】
ステップ２０８：ユーザーの操作状態であることが検出されると、制御機器にユーザーの操作状態である通知を送信し、ユーザーの操作取り消し状態であることが検出されると、制御機器にユーザーの操作取消し状態である通知を送信する。
【００９６】
ここで、ユーザーの操作状態であることが検出されるとは、ユーザーのタッチ操作の検出、着用操作の検出、又はユーザーの顔識別技術を利用して、フロントカメラで撮影した前方画像からのユーザーの顔画像の検出中のいずれか一方を含んでもいる。
【００９７】
制御機器にユーザーの操作状態である通知を送信するとは、制御機器に自体の識別子を携帯するユーザーの操作状態である通知を送信することを含んで、制御機器が記憶された識別子に対応する状態をユーザーの操作状態として表記する。
【００９８】
本発明のステップでは、ユーザーの操作取り消し状態であることが検出されるとは、プリセット時間内にユーザーのタッチ操作が検出されないこと、画面ロックが検出されること、ユーザーの脱ぐ操作が検出されること、プリセット時間内に顔識別技術を利用して、フロントカメラで撮影した前方画像からユーザーの顔画像が検出されないことのうち、いずれか一方を含んでもよい。
【００９９】
前記操作を介して、制御機器にそれぞれのスマート機器の状態を適時に通知して、制御機器がそれぞれのスマート機器の状態を適時に変更するようにすることで、どのスマート機器がユーザーの操作状態であるスマート機器かを判断するのに影響することを防止できる。
【０１００】
また、本発明の実施例は、以下のステップ２０９乃至ステップ２１０をさらに含んでもよい。なお、本発明の実施例は、以下のステップ２０９乃至ステップ２１０と、前記ステップ２０１乃至ステップ２０８との前後関係を限定しない。
【０１０１】
ステップ２０９：制御機器が転送した他のスマート端末が受信したメッセージを受信する。
【０１０２】
本発明のステップでは、ユーザーの操作状態であるスマート機器は、制御機器が送信した他のスマート機器が送信したメッセージを受信する。
【０１０３】
ステップ２１０：他のスマート端末が受信したメッセージを表示する。
【０１０４】
本発明のステップでは、ユーザーの操作状態であるスマート機器がＴＶやコンピュータであれば、ＴＶやコンピュータはその画面に前記メッセージを表示し、ユーザーの操作状態であるスマート機器がスマートメガネであれば、スマートメガネはそのグラスに前記メッセージを表示する。従って、ユーザーが適時に新しいメッセージを照会することが便利になり、重要なメッセージを見逃すことを防止でき、ユーザーの便宜を図り、ユーザーの体験性を最適化することができる。
【０１０５】
図３に示すように、図３は、本発明の一例示的な実施例に係る他のメッセージ送信方法を示すフローチャートである。前記方法は、制御機器に応用可能であり、以下のようなステップを含んでもよい。
【０１０６】
ステップ３０１：それぞれのスマート機器との接続を確立する。
【０１０７】
本発明では、制御機器は、それぞれのスマート機器に接続され、また、それぞれのスマート機器の操作状態を維持する機器を含んでもよい。
【０１０８】
ステップ３０２：ユーザーの操作状態である機器を確認するメッセージを受信すると、ユーザーの操作状態である機器の情報を取得する。
【０１０９】
本発明の実施例では、スマート機器に、相互に接続されるそれぞれのスマート機器の識別子と、ユーザー操作の状態及びユーザーの操作取消し状態を含む対応する操作状態が記憶される。
【０１１０】
ステップ３０３：ユーザーの操作状態である機器の情報を返す。
【０１１１】
本発明では、制御機器が返還する機器の情報は、機器の識別子であってもよい。
【０１１２】
本発明では、制御機器は、受信した操作状態である通知に基づいて、前記スマート機器の状態を記憶する。例えば、前記通知が操作状態である通知であれば、前記スマート機器に対応する状態をユーザーの操作状態であるとして記憶し、前記通知が操作取消し状態である通知であれば、前記スマート機器に対応する状態をユーザーの取消し操作状態であるとして記憶する。これによって、制御機器が適時にそれぞれのスマート機器の状態を変更して、どのスマート機器がユーザーの操作状態であるスマート機器であるかを判断するに影響を与えることを防止できる。
【０１１３】
図４に示すように、図４は、本発明の一例示的な実施例に係る他のメッセージ送信方法を示すフローチャートである。前記方法は、制御機器に応用可能であり、以下のようなステップを含んでもよい。
【０１１４】
ステップ４０１：それぞれのスマート機器とワイヤレスネットワークを介して接続を確立して、それぞれのスマート機器の識別子を取得して記憶する。
【０１１５】
本発明では、制御機器はルータであってもよい。ルータは、無線通信モジュールを備える、それぞれのスマート機器、例えば、スマート端末、ウェアラブル機器、スマート家電と接続を確立可能であり、また、既に接続を確立したそれぞれのスマート機器の識別子を記憶する。
【０１１６】
ステップ４０２：カメラを介してスマート機器の外観画像を取得して、前記スマート機器の外観画像とスマート機器の識別子を対応して記憶する。
【０１１７】
ステップ４０３：スマート機器が送信する操作状態である通知又は操作の取消し状態通知を受信し、相応的に、前記スマート機器の最新操作状態を記憶する。
【０１１８】
接続を確立した後、それぞれのスマート機器は、自体の操作状態を制御機器に送信して記憶する。前記図１及び図２に示された実施例を組み合わせて見ると、スマート機器は、自体がユーザーの操作状態であるか、ユーザーの操作取消し状態であるかを判断することができ、制御機器は、対応する前記スマート機器の状態を表記して記憶する。
【０１１９】
ステップ４０４：ユーザーの操作状態である機器を確認するメッセージを受信すると、ユーザーの操作状態である機器の情報を照会する。
【０１２０】
すでに接続を確立した１つのスマート機器がメッセージを受信すると、制御機器は、前記スマート機器が送信するユーザーの操作状態である機器を確認するメッセージを受信する。
【０１２１】
ステップ４０５：ユーザーの操作状態である機器の情報を照会すると、前記機器情報をスマート機器に送信し、ユーザーの操作状態である機器の情報が照会されないと、室内位置測定技術を利用して、ユーザーの現在位置を測定する。
【０１２２】
ステップ４０６：カメラを利用して、ユーザーの周囲設定範囲内のスマート機器の情報を取得する。
【０１２３】
ここで、設定範囲は、ユーザーの位置を遠心にして、半径が１メートルの円形区域内の範囲であってもよい。ここで、カメラは、ルータ自体が携帯したカメラであってもよく、スマート機器に設けられたカメラであってもよい。
【０１２４】
ステップ４０７：取得した画像情報と記憶されたスマート機器の外観イメージをマッチングさせて類似度（ｓｉｍｉｌａｒｉｔｙ）を取得し、前記類似度が所定の限界値よりも大きい場合、前記画像情報に対応するスマート機器をユーザーの操作状態であるスマート機器として確定する。
【０１２５】
本発明のステップでは、制御機器は、採集した画像情報とステップ２０２で記憶した画像をマッチングさせる。この方式では、ユーザーが、前記類似度が所定の限界値よりも大きいスマート機器を操作しなくても、そのスマート機器がユーザーより距離が比較的近いため、受信したメッセージに対して通知すると、ユーザーの注意を容易に喚起させることができる。従って、前記類似度が所定の限界値よりも大きいスマート機器をユーザーの操作状態のスマート機器として確定する。
【０１２６】
ステップ４０８：確定されたユーザーの操作状態であるスマート機器の機器情報を、メッセージを受信するスマート機器に送信する。
【０１２７】
図５に示すように、図５は、本発明の一例示的な実施例に係るメッセージ送信方法を応用する場面を示す説明図である。図５に示された場面には、メッセージを受信するスマート機器であるスマートフォン、制御機器であるルータ、ユーザーの操作状態であるスマート機器としてのスマートＴＶを含む。
【０１２８】
スマートフォン、スマートＴＶなどのユーザーのスマート機器は、すべてが事前にルータとの接続を確立し、ルータにはそれぞれの接続を確立したスマート機器の識別子が記憶される。それぞれのスマート機器は、それぞれの操作状態を制御機器に送信し、制御機器は、それぞれの操作状態と識別子を対応して記憶する。スマートフォンがメッセージを受信し、タッチ操作が存在するかを判断する。設定された時間帯内にタッチ操作が検出されない場合、ユーザーの操作取消し状態であると判断する。スマートフォンは、受信したメッセージをルータに送信して、ルータは記憶されたそれぞれのスマート機器の状態を照会し、スマートＴＶがユーザーの操作状態であることが照会されると、受信されたメッセージをスマートＴＶに送信する。
【０１２９】
図５に図示されたアプリケーションのシーンからメッセージの送信を実現する具体的な過程は、前述した図１〜図４の説明を参照するとなるので、ここでこれ以上説明しない。
【０１３０】
前述したメッセージ送信方法の実施例に対応するように、本発明は、メッセージ送信装置とメッセージ送信装置が応用される端末とルータの実施例を提供する。
【０１３１】
図６に示すように、図６は、本発明の一例示的な実施例に係るメッセージ送信装置を示すブロック図である。前記装置は、第１のメッセージ受信モジュール６１０、判断モジュール６２０、及び第１のメッセージ送信モジュール６３０を備えてもよい。
【０１３２】
第１のメッセージ受信モジュール６１０は、メッセージを受信するように構成される。
【０１３３】
判断モジュール６２０は、ユーザーの操作状態であるかを判断するように構成される。
【０１３４】
第１のメッセージ送信モジュール６３０は、判断モジュール６２０によりユーザーの操作状態ではないと判断されると、ユーザーの操作状態である機器を確認して、前記メッセージをユーザーの操作状態である機器に送信するように構成される。
【０１３５】
前記実施例では、メッセージを受信したスマート機器がユーザーの操作状態ではないと、ユーザーの操作状態である機器を確認して、受信したメッセージをユーザーの操作状態であるスマート機器に送信することにより、ユーザーが新しいメッセージを受信するように適時に通知して、ユーザーが新しいメッセージを適時に照会することが便利になり、重要なメッセージを見逃すことを防止でき、ユーザーの便宜を図ることができ、ユーザーの体験性を最適化することができる。
【０１３６】
図７に示すように、図７は、本発明の一例示的な実施例に係る他のメッセージ送信装置を示すブロック図である。前記実施例は、図６に示された実施例に加え、判断モジュール６２０は、タッチ判断サブモジュール６２１、第１の操作状態判断サブモジュール６２２、及び第１の操作取消し状態判断サブモジュール６２３を備えてもよい。
【０１３７】
タッチ判断サブモジュール６２１は、タッチ操作が存在するかを判断するように構成される。
【０１３８】
第１の操作状態判断サブモジュール６２２は、タッチ判断サブモジュール６２１が前記タッチ操作を検出すると、ユーザーの操作状態であると判断するように構成される。
【０１３９】
第１の操作取消し状態判断サブモジュール６２３は、タッチ判断サブモジュール６２１が設定された時間帯内にタッチ操作を検出できない、又は画面ロックを検出できると、ユーザーの操作取消し状態であると判断するように構成される。
【０１４０】
前記実施例では、メッセージを受信したスマート機器は、タッチ操作が検出されるかに基づいて、自体がユーザーの操作状態であるかを判断する。この方式は簡単であり、容易に実現され、判断正確度が高い。
【０１４１】
図８に示すように、図８は、本発明の一例示的な実施例に係る他のメッセージ送信装置を示すブロック図である。前記実施例は、図６に示された実施例に加え、判断モジュール６２０は、操作判断サブモジュール６２４、第２の操作状態判断サブモジュール６２５、及び第２の操作取消し状態判断サブモジュール６２６を備えてもよい。
【０１４２】
操作判断サブモジュール６２４は、ユーザーの着用操作が検出されるか、又はユーザーの脱ぐ操作が検出されるかを判断するように構成される。
【０１４３】
第２操作状態判断サブモジュール６２５は、操作判断サブモジュール６２４が着用操作を検出すると、ユーザーの操作状態であると判断するように構成される。
【０１４４】
第２の操作取消し状態判断サブモジュール６２６は、操作判断サブモジュール６２４が脱ぐ操作を検出すると、ユーザーの操作取消し状態であると判断するように構成される。
【０１４５】
前記実施例では、メッセージを受信したスマート機器は、着用操作又は脱ぐ操作が検出されるかに基づいて、自体がユーザー操作状態であるかを判断する。この方式は、ウェアラブル機器に応用され、簡単かつ容易に実現されて判断正確度が高い。
【０１４６】
図９に示すように、図９は、本発明の一例示的な実施例に係る他のメッセージ送信装置を示すブロック図である。前記実施例は、図６に示された実施例に加え、判断モジュール６２０は、前方画像取得サブモジュール６２７、検出サブモジュール６２８、第３の操作状態判断サブモジュール６２９、及び第３の操作取消し状態判断サブモジュール６２１０を備えてもよい。
【０１４７】
ここで、前方画像取得サブモジュール６２７は、フロントカメラを利用して前方画像を取得するように構成される。
【０１４８】
検出サブモジュール６２８は、顔識別技術を利用して、前方画像取得サブモジュール６２７が取得した前方画像からユーザーの顔画像が検出されるかを判断するように構成される。
【０１４９】
第３の操作状態判断サブモジュール６２９は、検出サブモジュール６２８が顔画像を検出すると、ユーザーの操作取消し状態であると判断するように構成される。
【０１５０】
第３の操作取消し状態判断サブモジュール６２１０は、検出サブモジュール６２８が顔画像を検出されなかった場合、ユーザーの操作取消し状態であると判断するように構成される。
【０１５１】
前記実施例では、メッセージを受信したスマート機器は、ユーザーの顔画像が検出されるかに基づいて、自体がユーザー操作状態であるかを判断し、ユーザーの顔画像を検出できる場合、ユーザーはスマート機器との距離が非常に近いことを説明する。このようなスマート機器は、自体が携帯したカメラによって実現でき、簡単で、且つ容易に実現され、判断正確度が高い。
【０１５２】
図１０に示すように、図１０は、本発明の一例示的な実施例に係る他のメッセージ送信装置を示すブロック図である。前記実施例は、図６に示された実施例に加え、判断モジュール６２０は、第１の要求送信サブモジュール６２１１、第１の識別子受信サブモジュール６２１２、識別子判断サブモジュール６２１３、第４の操作状態判断サブモジュール６２１４、及び第４の操作の取消し状態判断サブモジュール６２１５を備えてもよい。
【０１５３】
第１の要求送信サブモジュール６２１１は、現在の操作状態が取得されないと、制御機器に操作状態である機器を取得する要求を送信するように構成される。前記制御装置は、それぞれのスマート機器に接続され、且つ、それぞれの前記スマート機器の操作状態を維持する機器である。
【０１５４】
第１の識別子受信サブモジュール６２１２は、制御機器が送信するユーザーの操作状態である機器の識別子を受信するように構成される。
【０１５５】
識別子判断サブモジュール６２１３は、第１の識別子受信サブモジュール６２１２が受信した識別子が自身の識別子と一致するかを判断するように構成される。
【０１５６】
第４の操作状態判断サブモジュール６２１４は、識別子判断サブモジュール６２１３が受信した識別子が自身の識別子と一致すると判断する場合、ユーザーの操作状態であると判断するように構成される。
【０１５７】
第４の操作の取消し状態判断サブモジュール６２１５は、識別子判断サブモジュール６２１３が受信した識別子が自身の識別子と一致していないと判断する場合、ユーザーの操作取消し状態であると判断するように構成される。
【０１５８】
前記実施例では、メッセージを受信したスマート機器は、ユーザーの操作状態である機器の識別子と自体の識別子が一致するかに基づいて、自体がユーザーの操作状態であるかを判断する。この方式は、容易に実現され、判断正確度が高い。
【０１５９】
図１１に示すように、図１１は、本発明の一例示的な実施例に係る他のメッセージ送信装置を示すブロック図である。前記実施例は、図６に示された実施例に加え、第１のメッセージ送信モジュール６３０は、第２の要求送信サブモジュール６３１、及び第２の識別子受信サブモジュール６３２をさらに備えてもよい。
【０１６０】
第２要求送信サブモジュール６３１は、制御機器にユーザーの操作状態である機器を取得する要求を送信するように構成される。前記制御装置は、それぞれのスマート機器に接続され、且つ、それぞれの前記スマート機器の操作状態を維持する機器である。
【０１６１】
第２の識別子受信サブモジュール６３２は、制御機器が送信するユーザーの操作状態である機器の識別子を受信するように構成される。
【０１６２】
図１２に示すように、図１２は、本発明の一例示的な実施例に係る他のメッセージ送信装置を示すブロック図である。前記実施例は、図６〜図１１の中のいずれか１つの図面に示された実施例に加え、前記装置は、第１の検出モジュール６４０、及び第１の通知送信モジュール６５０をさらに備えてもよい。
【０１６３】
第１の検出モジュール６４０は、ユーザーの操作状態を検出するように構成される。
【０１６４】
第１の通知送信モジュール６５０は、第１の検出モジュール６４０がユーザーの操作状態であることを検出すると、制御機器のユーザーの操作状態である通知を送信するように構成される。
【０１６５】
前記実施例では、端末はユーザーの操作状態を適時に制御機器に通知して、制御機器が記憶された状態を適時に更新するようにする。
【０１６６】
前記第１の通知送信モジュール６５０は、制御機器に自体の識別子を携帯するユーザーの操作状態である通知を送信して、前記制御機器が記憶された前記識別子に対応する状態をユーザーの操作状態として表記するように構成される。
【０１６７】
前記第１の通知送信モジュール６５０は、ユーザーのタッチ操作、着用操作を検出する、又は顔識別技術を利用して、フロントカメラで撮影した前方画像からユーザーの顔画像を検出するように構成される。
【０１６８】
図１３に示すように、図１３は、一例示的な実施例に係る他のメッセージ送信装置を示すブロック図である、前記実施例は、図６〜図１１の中のいずれか１つの図面に示された実施例に加え、前記装置は、第２の検出モジュール６６０、及び第２の通知送信モジュール６７０をさらに備えてもよい。
【０１６９】
ここで、第２の検出モジュール６６０は、ユーザーの操作状態を検出するように構成される。
【０１７０】
第２の通知送信モジュール６７０は、第２の検出モジュール６６０がユーザーの操作取消し状態であることを検出すると、制御機器にユーザーの操作取消し状態である通知を送信するように構成される。
【０１７１】
ここで、第２の通知送信モジュール６７０は、プリセット時間内にユーザーのタッチ操作が検出されない、画面ロックが検出される、ユーザーの脱ぐ操作が検出される、又はプリセット時間内に顔識別技術を利用して、フロントカメラで撮影した前方画像からユーザーの顔画像が検出されないように構成される。
【０１７２】
前記実施例では、端末はユーザーの操作取消し状態を制御機器に適時に通知して、制御機器が記憶された状態を適時に更新するようにする。
【０１７３】
図１４は、本発明の一例示的な実施例に係る他のメッセージ送信装置を示すブロック図である。前記実施例は、前述した図６〜図１１の中のいずれか１つの図面に示された実施例に加え、前記装置は、第２のメッセージ受信モジュール６８０、及びディスプレイモジュール６９０をさらに備えてもよい。
【０１７４】
第２メッセージ受信モジュール６８０は、制御機器が転送した他のスマート機器が受信したメッセージを受信するように構成される。
【０１７５】
ディスプレイモジュール６９０は、第２のメッセージ受信モジュール６８０が受信する、他のスマート端末が受信したメッセージを表示するように構成される。
【０１７６】
ここで、ディスプレイモジュール６９０は、具体的に、前記他のスマート端末が受信したメッセージをスクリーン又はガラスにディスプレイするように構成される。
【０１７７】
前記実施例では、ユーザーの操作状態であるスマート機器は、メッセージを受信した後、適時に表示し、ユーザーが新しいメッセージを適時に照会するように通知して、重要なメッセージを見逃すことを防止できる。
【０１７８】
前記図６〜図１４に示されたメッセージ送信装置の実施例は、端末に応用することができる。
【０１７９】
図１５に示すように、図１５は、本発明の一例示的な実施例に係る他のメッセージ送信装置を示すブロック図である。前記装置は、接続確立モジュール７１０、機器情報取得モジュール７２０、及び機器情報返還モジュール７２０を備えてもよい。
【０１８０】
接続確立モジュール７１０は、それぞれのスマート機器との接続を確立するように構成される。
【０１８１】
機器情報取得モジュール７２０は、ユーザーの操作状態である機器を確認するメッセージを受信すると、ユーザーの操作状態である機器の情報を取得するように構成される。
【０１８２】
機器情報返還モジュール７３０は、機器情報取得モジュール７２０が取得したユーザーの操作状態である機器の情報を返すように構成される。
【０１８３】
前記実施例では、制御機器は、ユーザーの操作状態であることを確認される機器のメッセージを受信したときに、ユーザーの操作状態である機器の情報を取得するとともに、当該情報をスマート機器に返還する。これで、メッセージを受信したスマート機器が適時にそのメッセージをユーザーの操作状態であるスマート機器に送信するようにし、これによって、ユーザーが適時に新しいメッセージを受信するように通知して、ユーザーが新しいメッセージを適時に照会することが便利なり、重要なメッセージを見逃すことが防止でき、ユーザーの便宜を図り、ユーザーの体験性を最適化することができる。
【０１８４】
図１６に示すように、図１６は、本発明の一例示的な実施例に係る他のメッセージ送信装置を示すブロック図である。前記実施例は、前述した図１５に示された実施例に加え、前記装置は、第１の通知受信モジュール７４０、及び第１の記憶モジュール７５０をさらに備えてもよい。
【０１８５】
第１の通知受信モジュール７４０は、スマート機器が送信する操作状態である通知を受信するように構成される。
【０１８６】
第１の記憶モジュール７５０は、第１の通知受信モジュール７４０が受信したスマート機器の最新操作状態を記憶するように構成される。
【０１８７】
前記実施例では、制御機器は、スマート機器が送信する通知に基づいて、ユーザーの操作状態であるスマート機器の状態を適時に記憶し、更新する。
【０１８８】
図１７に示すように、図１７は、本発明の一例示的な実施例に係る他のメッセージ送信装置を示すブロック図である。前記実施例は、前述した図１５に示された実施例に加え、前記装置は、第２の通知受信モジュール７６０、及び第２の記憶モジュール７７０をさらに備えてもよい。
【０１８９】
第２通知受信モジュール７６０は、スマート機器が送信する操作取消し状態である通知を受信するように構成される。
【０１９０】
第２記憶モジュール７７０は、第２の通知受信モジュール７６０が受信したスマート機器の最新操作状態を記憶するように構成される。
【０１９１】
前記実施例では、制御機器は、スマート機器が送信する通知に基づいて、ユーザーの操作取消し状態であるスマート機器の状態を適時に記憶し、更新する。
【０１９２】
図１８に示すように、図１８は、本発明の一例示的な実施例に係る他のメッセージ送信装置を示すブロック図である。前記実施例は、前述した図１５に示された実施例に加え、前記装置は、第３のメッセージ受信モジュール７８０、及び第２のメッセージ送信モジュール７９０をさらに備えてもよい。
【０１９３】
第３のメッセージ受信モジュール７８０は、スマート機器が送信する、スマート機器が受信した新しいメッセージを受信するように構成される。
【０１９４】
第２メッセージ送信モジュール７９０は、第３のメッセージ受信モジュール７８０が受信したメッセージを、ユーザーの操作状態であるスマート機器に送信するように構成される。
【０１９５】
ここで、機器情報取得モジュール７２０は、ユーザーの操作状態である機器の情報を照会するように構成される。
【０１９６】
前記実施例では、制御機器は、スマート機器が受信した新しいメッセージを、ユーザーの操作状態であるスマート機器に送信して、ユーザーがメッセージを適時に照会することが便利になる。
【０１９７】
図１９に示すように、図１９は、本発明の一例示的な実施例に係る他のメッセージ送信装置を示すブロック図である。前記実施例は、前述した図１５〜図１８の中のいずれか１つの図面に示された実施例に加え、接続確立モジュール７１０は、識別子取得サブモジュール７１１、及び識別子記憶サブモジュール７１２を備えてもよい。
【０１９８】
識別子取得サブモジュール７１１は、それぞれのスマート機器の識別子を取得するように構成される。
【０１９９】
識別子記憶サブモジュール７１２は、識別子取得サブモジュール７１１が取得したそれぞれのスマート機器の識別子を記憶するように構成される。
【０２００】
図２０に示すように、図２０は、本発明の一例示的な実施例に係る他のメッセージ送信装置を示すブロック図である。前記実施例は、前述した図１５〜図１８の中のいずれか１つの図面に示された実施例に加え、接続確立モジュール７１０は、画像取得サブモジュール７１３、及び画像記憶サブモジュール７１４を備えてもよい。
【０２０１】
画像取得サブモジュール７１３は、スマート機器との最初の接続を確立するときに、スマート機器の外観イメージを取得するように構成される。
【０２０２】
画像記憶サブモジュール７１４は、画像取得サブモジュール７１３が取得したスマート機器の前記外観イメージとスマート機器識別子を対応して記憶するように設定される。
【０２０３】
ここで、画像取得サブモジュール７１３は、カメラを利用して、それぞれのスマート機器の外観イメージを採集して記憶するように構成される。
【０２０４】
図２１に示すように、図２１は、本発明の一例示的な実施例に係る他のメッセージ送信装置を示すブロック図である。前記実施例は、前述した図２０に示された実施例に加え、機器情報取得モジュール７２０は、位置測定サブモジュール７２１、画像情報取得サブモジュール７２２、及び確定サブモジュール７２３を備えてもよい。
【０２０５】
位置測定サブモジュール７２１は、ユーザーの操作状態である機器の情報が照会されないと、室内位置測定技術を利用して、ユーザーの現在の位置を測定するように構成される。
【０２０６】
画像情報取得サブモジュール７２２は、位置測定サブモジュール７２１が位置測定した、ユーザーの周囲設定範囲内のスマート機器の画像情報を取得するように構成される。
【０２０７】
確定サブモジュール７２３は、画像情報取得サブモジュール７２２が取得した画像情報と記憶されたスマート機器の外観イメージをマッチングさせて類似度（ｓｉｍｉｌａｒｉｔｙ）を取得し、類似度が所定の限界値よりも大きい場合、画像情報に対応するスマート機器をユーザーの操作状態であるスマート機器として確定するように構成される。
【０２０８】
ここで、画像情報取得サブモジュール７２２は、カメラを利用して、ユーザーの周囲設定範囲内のスマート機器の画像情報を採集するように構成される。
【０２０９】
前記実施例では、制御機器は、スマート機器との最初の接続を確立する際に、さらに前記スマート機器の識別子及び外観イメージを記憶することができる。このようにして、制御機器がユーザーの操作状態であるスマート機器を照会しなかった場合、ユーザーに対して位置測定して、ユーザーの周囲設定範囲内のスマート機器の画像情報を取得し、画像情報に基づいて前記スマート機器が記憶されたスマート機器である判断されるとき、前記スマート機器をユーザーの操作状態であるスマート機器として確定する。前記方式を介して、制御機器では、ユーザーの操作状態であるスマート機器の状態を適時に更新できなかった場合、画像情報を介してユーザーの操作状態であるスマート機器を簡単に確定することができ、ユーザーが新しいメッセージを受信するように適時に通知することができる。
【０２１０】
図１５〜図２１に示されたメッセージ送信装置の実施例は、ルータに応用することができる。
【０２１１】
前記装置中のそれぞれのユニットの機能及び作用の実現過程は、前記方法の対応するステップの実現過程を具体的に参考すればよいので、ここで贅言して説明しない。
【０２１２】
装置の実施例は、基本的に方法の実施例に対応するため、関連する部分は、方法の実施例の部分の説明を参照すればいい。上述した装置の実施例は、単に例示的なものである。特に、前記分離部品として説明したユニットは、物理的に分離されたものであってもよく、又は分離されていないものであってもよい。ユニットとして表示される部品は、物理ユニットであってもよく、物理ユニットではなくてもよい。即ち、一箇所に位置してもよく、又は複数のネットワークユニットに分布されてもよい。実際の需要に応じて、その中の一部モジュール又は全部モジュールを選択して、本発明の技術的案の目的を達成することができる。当業者は、創造的な労働をしない前提で、理解して実施することができる。
【０２１３】
相応的に、本発明は、端末をさらに提供し、前記端末は、プロセッサーと、プロセスによって実行可能な命令を記憶するメモリと、を備え、ここで、前記プロセッサーは、
メッセージを受信し、
ユーザーの操作状態であるかを判断し、
ユーザーの操作状態でないと、ユーザーの操作状態である機器を確認して、前記メッセージを前記ユーザーの操作状態である機器に送信するように構成される。
【０２１４】
相応的に、本発明は、ルータをさらに提供し、前記ルータは、プロセッサーと、プロセッサーによって実行可能な命令を記憶するメモリと、を備え、ここで、前記プロセッサーは、
それぞれのスマート機器との接続を確立し、
ユーザーの操作状態である機器を確認するメッセージを受信すると、ユーザーの操作状態である機器の情報を取得し、
ユーザーの操作状態である機器の情報を返すように構成される。
【０２１５】
図２２に示すように、図２２は一例示的実施例に係るメッセージ送信装置２２００に応用される一構造を示す概略図である。例えば、装置２２００はルータとして提供されてもよい。図２２を参照すると、装置２２００は、１つ以上のプロセッサーがさらに含まれた処理ユニット２２２２と、処理ユニット２２２２により実行可能な命令、例えばアプリケーションプログラムを記憶するメモリ２２３２を代表とするメモリリソースとを含む。メモリ２２３２に記憶されたアプリケーションプログラムは、１つ以上のそれぞれが一組の命令に対応するモジュールを含んでもよい。また、前記いずれか１つの実施例に提供された方法を実行するために、処理ユニット２２２２は命令を実行するように配置される。
【０２１６】
装置２２００は、装置２２００の電源管理を実行するように配置された電源ユニット２２２６と、装置２２００をインターネットに接続させるように配置された有線又は無線ネットワークインターフェース２２５０と、入力/出力（Ｉ/Ｏ）インターフェース２２５８とを有してもよい。装置２２００はメモリ２２３２に記憶された操作システム、例えばＷｉｎｄｏｗｓ Ｓｅｒｖｅｒ、Ｍａｃ ＯＳ Ｘ、Ｕｎｉｘ, Ｌｉｎｕｘ、ＦｒｅｅＢＳＤなどに基づいて操作できる。
【０２１７】
図２３に示すように、図２３は、本発明の一例示的な実施例に係るメッセージ送信装置２３００に応用される一構造を示す概略図である。例えば、装置２３００は、ルート機能を有する携帯電話、コンピュータ、デジタルブロードキャスト端末、メッセージ送受信機、ゲーム機、タブレットデバイス、医療機器、フィットネス機器、ＰＤＡ等のものであってもよい。
【０２１８】
図２３を照会すると、装置２３００は、処理ユニット２３０２、メモリ２３０４、電源ユニット２３０６、マルチメディアユニット２３０８、オーディオユニット２３１０、入力/出力（Ｉ/Ｏ）インターフェース２３１２、センサーユニット２３１４、及び通信ユニット２３１６からなる群から選ばれる少なくとも１つを有してもよい。
【０２１９】
処理ユニット２３０２は、一般的には、装置２３００の全体の操作、例えば、表示、電話呼び出し、データ通信、カメラ操作及び記録操作に関連する操作を制御する。処理ユニット２３０２は、上述した方法におけるステップの一部又は全部を実現できるように、命令を実行する少なくとも１つのプロセッサー２３２０を有してもよい。また、処理ユニット２３０２は、他のユニットとのインタラクションの便宜を図るように、少なくとも１つのモジュールを有してもよい。例えば、処理ユニット２３０２は、マルチメディアユニット２３０８とのインタラクションの便宜を図るように、マルチメディアモジュールを有してもよい。
【０２２０】
メモリ２３０４は、装置２３００での操作をサポートするように、各種のデータを記憶するように配置される。これらのデータは、例えば、装置２３００で何れのアプリケーション又は方法を操作するための命令、連絡先データ、電話帳データ、メッセージ、画像、ビデオ等を含む。メモリ２３０４は、何れの種類の揮発性又は不揮発性メモリ、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｏｒｙ）、磁気メモリ、フラッシュメモリ、磁気ディスク、或いは光ディスクにより、或いはそれらの組み合わせにより実現することができる。
【０２２１】
電源ユニット２３０６は、装置２３００の各種ユニットに電力を供給するためのものであり、電源管理システム、１つ又は複数の電源、及び装置２３００のために電力を生成、管理及び分配することに関連する他のユニットを有してもよい。
【０２２２】
マルチメディアユニット２３０８は、装置２３００とユーザーとの間に出力インターフェースを提供するスクリーンを有してもよい。スクリーンは、例えば、液晶ディスプレイ（ＬＣＤ）やタッチパネル（ＴＰ）を有してもよい。スクリーンは、タッチパネルを有する場合、ユーザーからの入力信号を受信するように、タッチスクリーンになることができる。また、タッチパネルは、タッチや、スライドや、タッチパネル上の手振りを感知するように、少なくとも１つのタッチセンサーを有する。タッチセンサーは、タッチやスライド動作の境界を感知できるだけではなく、タッチやスライド操作と関連する持続時間や圧力も感知できる。一実施例では、マルチメディアユニット２３０８は、フロントカメラ及び/又はバックカメラを有してもよい。装置２３００が、例えば、撮影モードやビデオモードのような操作モードにある時、フロントカメラ及び/又はバックカメラが外部のマルチメディアデータを受信できる。フロントカメラ及びバックカメラのそれぞれは、固定の光学レンズ系であってもよいし、焦点距離及び光学ズーム能力を有するものであってもよい。
【０２２３】
オーディオユニット２３１０は、オーディオ信号を出力及び/又は入力するように配置される。例えば、オーディオユニット２３１０は、マイクロフォン（ＭｉＣ）を有してもよい。装置２３００が、例えば、呼び出しモード、記録モード、又は音声認識モードのような操作モードにあるとき、マイクロフォンは、外部のオーディオ信号を受信するように配置される。受信したオーディオ信号は、メモリ２３０４にさらに記憶されてもよいし、通信ユニット２３１６を介して送信されてもよい。一実施例では、オーディオユニット２３１０は、オーディオ信号を出力するためのスピーカをさらに有してもよい。
【０２２４】
Ｉ/Ｏインターフェース２３１２は、処理ユニット２３０２と外部のインターフェースモジュールとの間にインターフェースを提供するためのものである。前記外部のインターフェースモジュールは、キーボードや、クリックホイールや、ボタン等であってもよい。これらのボタンは、ホームボタンや、音量ボタンや、スタートボタンや、ロックボタンであってもよいが、それらに限らない。
【０２２５】
センサーユニット２３１４は、装置２３００のために各方面の状態を評価する少なくとも１つのセンサーを有してもよい。例えば、センサーユニット２３１４は、装置２３００のオン/オフ状態や、ユニットの相対的な位置を検出することができる。例えば、前記ユニットは、装置２３００のディスプレイ及びキーパッドである。センサーユニット２３１４は、装置２３００又は装置２３００の１つのユニットの位置の変化、ユーザーによる装置２３００への接触の有無、装置２３００の方向又は加速/減速、装置２３００の温度変化などを検出することができる。センサーユニット２３１４は、何れの物理的な接触もない場合に付近の物体を検出するように配置される近接センサーを有してもよい。センサーユニット２３１４は、画像ングアプリケーションに用いるための光センサー、例えば、ＣＭＯＳ又はＣＣＤ画像センサーを有してもよい。一実施例では、当該センサーユニット２３１４は、加速度センサー、ジャイロスコープセンサー、磁気センサー、圧力センサー又は温度センサーをさらに有してもよい。
【０２２６】
通信ユニット２３１６は、装置２３００と他の設備の間との無線又は有線通信の便宜を図るように配置される。装置２３００は、例えば、ＷｉＦｉ、２Ｇ又は３Ｇ、又はそれらの組み合わせの通信標準に基づく無線ネットワークにアクセスできる。１つの例示的な実施例では、通信ユニット２３１６は、ブロードキャストチャンネルを介して外部のブロードキャスト管理システムからのブロードキャスト信号又はブロードキャストに関する情報を受信する。１つの例示的な実施例では、前記通信ユニット２３１６は、近距離通信を促進するために近距離無線通信（ＮＦＣ）モジュールをさらに有してもよい。例えば、ＮＦＣモジュールは、無線周波数認識（ＲＦＩＤ：Ｒａｄｉｏ Ｆｒｅｑｕｅｎｃｙ ＩＤｅｎｔｉｆｉｃａｔｉｏｎ）技術、赤外線データ協会（ＩｒＤＡ：Ｉｎｆｒａｒｅｄ Ｄａｔａ Ａｓｓｏｃｉａｔｉｏｎ）技術、超広帯域無線（ＵＷＢ：Ｕｌｔｒａ Ｗｉｄｅ Ｂａｎｄ）技術、ブルートゥース（ＢＴ：Ｂｌｕｅｔｏｏｔｈ）技術及び他の技術によって実現されてもよい。
【０２２７】
例示的な実施例では、装置２３００は、上述した方法を実行するために、１つ又は複数の特定用途向け集積回路（ＡＳＩＣ：Ａｐｐｌｉｃａｔｉｏｎ Ｓｐｅｃｉｆｉｃ Ｉｎｔｅｇｒａｔｅｄ Ｃｉｒｃｕｉｔ）、デジタル信号プロセッサー（ＤＳＰ：Ｄｉｇｉｔａｌ Ｓｉｇｎａｌ Ｐｒｏｃｅｓｓｏｒ）、デジタル信号処理デバイス（ＤＳＰＤ：Ｄｉｇｉｔａｌ Ｓｉｇｎａｌ Ｐｒｏｃｅｓｓｉｎｇ Ｄｅｖｉｃｅ）、プログラマブルロジックデバイス（ＰＬＤ：Ｐｒｏｇｒａｍｍａｂｌｅ Ｌｏｇｉｃ Ｄｅｖｉｃｅ）、書替え可能ゲートアレイ（ＦＰＧＡ：Ｆｉｅｌｄ−Ｐｒｏｇｒａｍｍａｂｌｅ Ｇａｔｅ Ａｒｒａｙ）、コントローラ、マイクロコントローラ、マイクロプロセッサー、又は他の電子機器によって実現されてもよい。
【０２２８】
例示的な実施例では、命令を有する非一時的コンピュータ読み取り可能な記録媒体、例えば、命令を有するメモリ２３０４をさらに提供する。この命令は、装置２３００のプロセッサー２３２０により実行されて上述した方法を実現する。例えば、前記非一時的コンピュータ読み取り可能な記録媒体は、ＲＯＭ、ＲＡＭ、ＣＤ-ＲＯＭ、磁気テープ、フロッピーディスク及び光データメモリ等であってもよい。
【０２２９】
非一時的コンピュータ読み取り可能な記録媒体は、前記記録媒体における命令がモバイル端末のプロセッサーにより実行されると、モバイル端末がメッセージ送信方法を実行するようにする。前記方法は、
メッセージを受信するステップと、
ユーザーの操作状態であるかを判断するステップと、
ユーザーの操作状態でないと、ユーザーの操作状態である機器を確認して、前記メッセージをユーザーの操作状態である機器に送信するステップと、を含む。
【０２３０】
本発明は、さらに非一時的コンピュータ読み取り可能な記録媒体を提供し、前記記録媒体における命令がルータのプロセッサーにより実行されると、ルータがメッセージ送信方法を実行するようにする。前記方法は、
それぞれのスマート機器との接続を確立するステップと、
ユーザーの操作状態である機器を確認するメッセージを受信すると、ユーザーの操作状態である機器の情報を取得するステップと、
ユーザーの操作状態である機器の情報を返すステップと、を含む。
【０２３１】
当業者は、明細書に対する理解、及び明細書に記載された発明に対する実施を介して、本発明の他の実施形態を容易に取得することができる。本発明は、本発明に対する任意の変形、用途、又は適応的な変化を含み、このような変形、用途、又は適応的な変化は、本発明の一般的な原理に従い、本発明では開示していない本技術分野の公知知識、又は通常の技術手段を含む。明細書及び実施例は、ただ例示的なものであって、本発明の本当の範囲と主旨は、以下の特許請求の範囲によって示される。
【０２３２】
本発明は、前記で記述され、図面で図示した特定の構成に限定されず、その範囲を離脱しない状況で、様々な修正や変更を実施してもよい。本発明の範囲は、添付される特許請求の範囲のみにより限定される。
【０２３３】
本願は、出願番号が２０１５１０５４９２２１．９であって、出願日が２０１５年８月３１日である中国特許出願を基礎として優先権を主張し、当該中国特許出願の内容の全体を本願に援用する。
【図１】
2017531977.tif 000003
【図２】
2017531977.tif 000004
【図３】
2017531977.tif 000005
【図４】
2017531977.tif 000006
【図５】
2017531977.tif 000007
【図６】
2017531977.tif 000008
【図７】
2017531977.tif 000009
【図８】
2017531977.tif 000010
【図９】
2017531977.tif 000011
【図１０】
2017531977.tif 000012
【図１１】
2017531977.tif 000013
【図１２】
2017531977.tif 000014
【図１３】
2017531977.tif 000015
【図１４】
2017531977.tif 000016
【図１５】
2017531977.tif 000017
【図１６】
2017531977.tif 000018
【図１７】
2017531977.tif 000019
【図１８】
2017531977.tif 000020
【図１９】
2017531977.tif 000021
【図２０】
2017531977.tif 000022
【図２１】
2017531977.tif 000023
【図２２】
2017531977.tif 000024
【図２３】
2017531977.tif 000025
【手続補正書】
【提出日】平成28年2月17日(2016.2.17)
【手続補正１】
【補正対象書類名】明細書
【補正対象項目名】全文
【補正方法】変更
【補正の内容】
【発明の詳細な説明】
【技術分野】
【０００１】
本発明は、通信ネットワーク技術分野に関し、より詳細には、メッセージ送信方法、装置、端末、ルータ、プログラム、及び記録媒体に関する。
【背景技術】
【０００２】
スマート機器の発展や普及につれて、ユーザーは、複数のスマート機器、例えば、スマートフォン、ウェアラブル機器、タブレットＰＣなどを所有可能である。ユーザーは、このようなスマート機器にてメッセージを送受信し、ＡＰＰ（Ａｐｐｌｉｃａｔｉｏｎ、アプリケーションプログラム）などを使用する。従って、複数のスマート機器のすべてがメッセージや、通知などを受信可能である。
【発明の概要】
【発明が解決しようとする課題】
【０００３】
本発明は、関連技術に存在する問題点を解決するために、メッセージ送信方法、装置、端末、ルータ、プログラム、及び記録媒体を提供する。
【課題を解決するための手段】
【０００４】
本発明の第１の態様によれば、メッセージ送信方法が提供され、前記方法は、
メッセージを受信するステップと、
ユーザーの操作状態であるかを判断するステップと、
ユーザーの操作状態でないと、ユーザーの操作状態である機器を確認して、前記メッセージを前記ユーザーの操作状態である機器に送信するステップと、を含む。
【０００５】
好ましくは、前記ユーザーの操作状態であるかを判断するステップは、
タッチ操作が存在するかを判断するステップと、
前記タッチ操作が検出されると、ユーザーの操作状態であると判断するステップと、
設定された時間帯内に前記タッチ操作が検出されない、又は画面ロックが検出されると、ユーザーの操作取消し状態であると判断するステップと、を含む。
【０００６】
好ましくは、前記ユーザーの操作状態であるかを判断するステップは、
ユーザーの着用操作が検出されるか、又はユーザーの脱ぐ操作が検出されるかを判断するステップと、
前記着用操作が検出されると、ユーザーの操作状態であると判断するステップと、
前記脱ぐ操作が検出されると、ユーザーの操作取消し状態であると判断するステップと、を含む。
【０００７】
好ましくは、ユーザーの操作状態であるかを判断するステップは、
フロントカメラを利用して前方画像を取得するステップと、
顔識別技術を用いて前記前方画像からユーザーの顔画像が検出されるかを判断するステップと、
前記顔画像が検出されると、ユーザーの操作状態であると判断するステップと、
前記顔画像が検出されないと、ユーザーの操作取消し状態であると判断するステップと、を含む。
【０００８】
好ましくは、ユーザーの操作状態であるかを判断するステップは、
現在の操作状態が取得されないと、制御機器に操作状態である機器を取得する要求を送信するステップと、
前記制御機器が送信する、前記ユーザーの操作状態である機器の識別子を受信するステップと、
受信された識別子が自身の識別子と一致するかを判断するステップと、
受信された識別子が自身の識別子と一致すると、ユーザーの操作状態であると判断するステップと、
受信された識別子が自身の識別子と一致しない場合、ユーザーの操作取消し状態であると判断するステップと、を含み、
前記制御装置は、それぞれのスマート機器に接続され、且つ、それぞれの前記スマート機器の操作状態を維持する機器である。
【０００９】
好ましくは、前記ユーザーの操作状態である機器を確認するステップは、
制御機器にユーザーの操作状態である機器を取得する要求を送信するステップと、
前記制御機器が送信する、前記ユーザーの操作状態である機器の識別子を受信するステップと、を含み、
前記制御装置は、それぞれのスマート機器に接続され、且つ、それぞれの前記スマート機器の操作状態を維持する機器である。
【００１０】
好ましくは、前記方法は、
ユーザーの操作状態を検出するステップと、
ユーザーの操作状態であることが検出されると、制御機器にユーザーの操作状態である通知を送信するステップをさらに含む。
【００１１】
好ましくは、前記制御機器にユーザーの操作状態である通知を送信するステップは、
制御機器に自体の識別子を携帯するユーザーの操作状態である通知を送信して、前記制御機器が記憶した前記識別子に対応する状態をユーザーの操作状態と表記するようにするステップを含む。
【００１２】
好ましくは、前記ユーザーの操作状態であることが検出されるステップでは、
ユーザーのタッチ操作、着用操作を検出するステップ、又は顔識別技術を利用して、フロントカメラで撮影した前方画像からユーザーの顔画像を検出するステップ中のいずれか一方のステップを含む。
【００１３】
好ましくは、前記方法は、ユーザーの操作状態を検出するステップと、
ユーザーの操作取消し状態であることが検出されると、前記制御機器にユーザーの操作取消し状態である通知を送信するステップと、をさらに含む。
【００１４】
好ましくは、前記ユーザーの操作取消し状態であることが検出されるステップでは、
プリセット時間内にユーザーのタッチ操作が検出されないステップ、画面ロックが検出されたステップ、ユーザーの脱ぐ操作が検出されるステップ、又はプリセット時間内に顔識別技術を利用して、フロントカメラで撮影した前方画像から、ユーザーの顔画像が検出されないステップ中のいずれか一方のステップを含む。
【００１５】
好ましくは、前記方法は、
制御機器が転送する他のスマート機器が受信したメッセージを受信するステップと、
前記他のスマート機器が受信したメッセージを表示するステップと、をさらに含む。
【００１６】
好ましくは、前記他のスマート機器が受信したメッセージを表示するステップは、
前記他のスマート機器が受信したメッセージをスクリーン又はガラスにディスプレイするステップを含むことを特徴とする請求項１２に記載のメッセージ送信方法。
【００１７】
本発明の第２の態様によれば、メッセージ送信方法が提供され、前記方法は、
それぞれのスマート機器との接続を確立するステップと、
ユーザーの操作状態である機器を確認するメッセージを受信すると、ユーザーの操作状態である機器の情報を取得するステップと、
ユーザーの操作状態である機器の情報を返すステップと、を含む。
【００１８】
好ましくは、前記方法は、
スマート機器が送信する操作状態である通知を受信するステップと、
前記スマート機器の最新操作状態を記憶するステップと、をさらに含む。
【００１９】
好ましくは、前記方法は、
スマート機器が送信する操作取消し状態である通知を受信するステップと、
前記スマート機器の最新操作状態を記憶するステップと、をさらに含む。
【００２０】
好ましくは、前記方法は、
スマート機器が送信する、前記スマート機器が受信した新しいメッセージを受信するステップと、
前記メッセージをユーザーの操作状態であるスマート機器に送信するステップと、をさらに含む。
【００２１】
好ましくは、前記ユーザーの操作状態である機器の情報を取得するステップは、
ユーザーの操作状態である機器の情報を照会するステップを含む。
【００２２】
好ましくは、前記それぞれのスマート機器との接続を確立するステップは、
それぞれのスマート機器の識別子を取得するステップと、
それぞれの前記スマート機器の識別子を記憶するステップと、をさらに含む。
【００２３】
好ましくは、それぞれのスマート機器との接続を確立するステップは、
スマート機器と最初の接続を確立する際に、前記スマート機器の外観イメージを取得するステップと、
前記スマート機器の前記外観イメージとスマート機器の識別子を対応するように記憶するステップと、をさらに含む。
【００２４】
好ましくは、前記スマート機器の外観イメージを取得するステップは、
カメラを利用して、それぞれの前記スマート機器の外観イメージを採集して記憶するステップを含む。
【００２５】
好ましくは、前記ユーザーの操作状態である機器の情報を取得するステップは、
ユーザーの操作状態である機器の情報が照会されない場合、室内位置測定技術を利用して、ユーザーの現在位置を測定するステップと、
ユーザーの周囲設定範囲内のスマート機器の画像情報を取得するステップと、
取得した画像情報と記憶されたスマート機器の外観イメージをマッチングさせて類似度（ｓｉｍｉｌａｒｉｔｙ）を取得し、前記類似度が所定の限界値よりも大きい場合、前記画像情報に対応するスマート機器を、ユーザーの操作状態であるスマート機器として確定するステップと、を含む。
【００２６】
好ましくは、前記ユーザーの周囲設定範囲内のスマート機器の画像情報を取得するステップは、
カメラを利用して、ユーザーの周囲設定範囲内のスマート機器の画像情報を採集するステップを含む。
【００２７】
本発明の第３の態様によれば、メッセージ送信装置が提供され、前記装置は、
メッセージを受信するように構成される第１のメッセージ受信モジュールと、
ユーザーの操作状態であるかを判断するように構成される判断モジュールと、
ユーザーの操作状態でないと、ユーザーの操作状態である機器を確認して、前記メッセージを前記ユーザーの操作状態である機器に送信するように構成される第１のメッセージ送信モジュールと、を備える。
【００２８】
好ましくは、前記判断モジュールは、
タッチ操作が存在するかを判断するように構成されるタッチ判断サブモジュールと、
前記タッチ操作が検出されると、ユーザーの操作状態であると判断するように構成される第１の操作状態判断サブモジュールと、
設定された時間帯内に前記タッチ操作が検出されない、又は画面ロックが検出されると、ユーザーの操作取消し状態であると判断するように構成される第１の操作取消し状態判断サブモジュールと、を備える。
【００２９】
好ましくは、前記判断モジュールは、
ユーザーの着用操作が検出されるか、又はユーザーの脱ぐ操作が検出されるかを判断するように構成される操作判断サブモジュールと、
前記着用操作が検出されると、ユーザーの操作状態であると判断するように構成される第２の操作状態判断サブモジュールと、
前記脱ぐ操作が検出されると、ユーザーの操作取消し状態であると判断するように構成される第２の操作取消し状態判断サブモジュールと、を備える。
【００３０】
好ましくは、前記判断モジュールは、
フロントカメラを利用して前方画像を取得するように構成される前方画像取得サブモジュールと、
顔識別技術を用いて前記前方画像からユーザーの顔画像が検出されるかを判断するように構成される検出サブモジュールと、
前記顔画像が検出されると、ユーザーの操作状態であると判断するように構成される第３の操作状態判断サブモジュールと、
前記顔画像が検出されないと、ユーザーの操作取消し状態であると判断するように構成される第３の操作取消し状態判断サブモジュールと、を備える。
【００３１】
好ましくは、前記判断モジュールは、
現在の操作状態が取得されないと、制御機器に操作状態である機器を取得する要求を送信するように構成される第１の要求送信サブモジュールと、
前記制御機器が送信する、前記ユーザーの操作状態である機器の識別子を受信するように構成される第１の識別子受信サブモジュールと、
受信された識別子が自身の識別子と一致するかを判断するように構成される識別子判断サブモジュールと、
受信された識別子が自身の識別子と一致すると、ユーザーの操作状態であると判断するように構成される第４の操作状態判断サブモジュールと、
受信された識別子が自身の識別子と一致しない場合、ユーザーの操作取消し状態であると判断するように構成される第４の操作取消し状態判断サブモジュールと、を備える、
前記制御装置は、それぞれのスマート機器に接続され、且つ、それぞれの前記スマート機器の操作状態を維持する機器である。
【００３２】
好ましくは、前記第１のメッセージ送信モジュールは、
制御機器にユーザーの操作状態である機器を取得する要求を送信するように構成される第２の要求送信サブモジュールと、
前記制御機器が送信する、前記ユーザーの操作状態である機器の識別子を受信するように構成される第２の識別子受信サブモジュールと、を備える、
前記制御装置は、それぞれのスマート機器に接続され、且つ、それぞれの前記スマート機器の操作状態を維持する機器である。
【００３３】
好ましくは、前記装置は、
ユーザーの操作状態を検出するように構成される第１の検出モジュールと、
ユーザーの操作状態であることが検出されると、制御機器にユーザーの操作状態である通知を送信するように構成される第１の通知送信モジュールと、をさらに備える。
【００３４】
好ましくは、前記第１の通知送信モジュールは、
制御機器に自体の識別子を携帯するユーザーの操作状態である通知を送信して、前記制御機器が記憶した前記識別子に対応する状態をユーザーの操作状態と表記するように構成される。
【００３５】
好ましくは、前記第１の通知送信モジュールは、
ユーザーのタッチ操作、着用操作を検出する、又は顔識別技術を利用して、フロントカメラで撮影した前方画像からユーザーの顔画像を検出するように構成される。
【００３６】
好ましくは、前記装置は、
ユーザーの操作状態を検出するように構成される第２の検出モジュールと、
ユーザーの操作取消し状態であることが検出されると、前記制御機器にユーザーの操作取消し状態である通知を送信するように構成される第２の通知送信モジュールと、をさらに備える。
【００３７】
好ましくは、前記第２の通知送信モジュールは、
プリセット時間内にユーザーのタッチ操作が検出されない、画面ロックが検出される、ユーザーの脱ぐ操作が検出される、又はプリセット時間内に顔識別技術を利用して、フロントカメラで撮影した前方画像から、ユーザーの顔画像が検出されないように構成される。
【００３８】
好ましくは、前記装置は、
制御機器が転送する他のスマート機器が受信したメッセージを受信するように構成される第２のメッセージ受信モジュールと、
前記他のスマート機器が受信したメッセージを表示するように構成されるディスプレイモジュールと、をさらに備える。
【００３９】
好ましくは、前記ディスプレイモジュールは、
前記他のスマート機器が受信したメッセージをスクリーン又はガラスにディスプレイするように構成される。
【００４０】
本発明の第４の態様によれば、メッセージ送信装置が提供され、前記装置は、
それぞれのスマート機器との接続を確立するように構成される接続確立モジュールと、
ユーザーの操作状態である機器を確認するメッセージを受信すると、ユーザーの操作状態である機器の情報を取得するように構成される機器情報取得モジュールと、
ユーザーの操作状態である機器の情報を返すように構成される機器情報返還モジュールと、を備える。
【００４１】
好ましくは、前記装置は、
スマート機器が送信する操作状態である通知を受信するように構成される第１の通知受信モジュールと、
前記スマート機器の最新操作状態を記憶するように構成される第１の記憶モジュールと、をさらに備える。
【００４２】
好ましくは、前記装置は、
スマート機器が送信する操作取消し状態通知を受信するように構成される第２の通知受信モジュールと、
前記スマート機器の最新操作状態を記憶するように構成される第２の記憶モジュールと、をさらに備える。
【００４３】
好ましくは、前記装置は、
スマート機器が送信する、前記スマート機器が受信した新しいメッセージを受信するように構成される第３のメッセージ受信モジュールと、
前記メッセージをユーザーの操作状態であるスマート機器に送信するように構成される第２のメッセージ送信モジュールと、をさらに備える。
【００４４】
好ましくは、前記機器情報取得モジュールは、
ユーザーの操作状態である機器の情報を照会するように構成される。
【００４５】
好ましくは、前記接続確立モジュールは、
それぞれのスマート機器の識別子を取得するように構成される識別子取得サブモジュールと、
それぞれの前記スマート機器の識別子を記憶するように構成される識別子記憶サブモジュールと、を備える。
【００４６】
好ましくは、前記接続確立モジュールは、
スマート機器と最初の接続を確立する際に、前記スマート機器の外観イメージを取得するように構成される画像取得サブモジュールと、
前記スマート機器の前記外観イメージとスマート機器の識別子を対応するように記憶するように構成される画像記憶サブモジュールと、を備える。
【００４７】
好ましくは、前記画像取得サブモジュールは、
カメラを利用して、それぞれの前記スマート機器の外観イメージを採集して記憶するように設定される。
【００４８】
好ましくは、前記機器情報取得モジュールは、
ユーザーの操作状態である機器の情報が照会されない場合、室内位置測定技術を利用して、ユーザーの現在位置を測定するように構成される位置測定サブモジュールと、
ユーザーの周囲設定範囲内のスマート機器の画像情報を取得するように構成される画像情報取得サブモジュールと、
取得した画像情報と記憶されたスマート機器の外観イメージをマッチングさせて類似度（ｓｉｍｉｌａｒｉｔｙ）を取得し、前記類似度が所定の限界値よりも大きい場合、前記画像情報に対応するスマート機器を、ユーザーの操作状態であるスマート機器として確定するように構成される確定サブモジュールと、を備える。
【００４９】
好ましくは、前記画像情報取得サブモジュールは、
カメラを利用して、ユーザーの周囲設定範囲内のスマート機器の画像情報を採集するように構成される。
【００５０】
本発明の第５の態様によれば、端末が提供され、前記端末は、
プロセッサーと、
前記プロセッサーによって実行可能な命令を記憶するメモリと、を備え、
前記プロセッサーは、
メッセージを受信し、
ユーザーの操作状態であるかを判断し、
ユーザーの操作状態でないと、ユーザーの操作状態である機器を確認して、前記メッセージを前記ユーザーの操作状態である機器に送信するように構成される。
【００５１】
本発明の第６の態様によれば、ルータが提供され、前記ルータは、
プロセッサーと、
前記プロセッサーによって実行可能な命令を記憶するメモリと、を備え、
前記プロセッサーは、
それぞれのスマート機器との接続を確立し、
ユーザーの操作状態である機器を確認するメッセージを受信すると、ユーザーの操作状態である機器の情報を取得して、
ユーザーの操作状態である機器の情報を返すように構成される。
【００５２】
本発明の第７の態様によれば、
プロセッサーに実行されることにより、上記のメッセージ送信方法を実現するプログラムを提供する。
【００５３】
本発明の第８の態様によれば、
上記プログラムが記録されたコンピュータ読取可能な記録媒体を提供する。
【発明の効果】
【００５４】
本発明の実施例を示した技術的案によると、以下のような作用効果を奏することができる。
【００５５】
本発明では、メッセージを受信したスマート機器がユーザーの操作状態ではないと、ユーザーの操作状態である機器を確認して、受信したメッセージをユーザーの操作状態であるスマート機器に送信することにより、ユーザーが新しいメッセージを受信するように適時に通知して、ユーザーが新しいメッセージを適時に照会することが便利になり、重要なメッセージを見逃すことを防止でき、ユーザーの便宜を図ることができ、ユーザーの体験性を最適化することができる。
【００５６】
本発明では、メッセージを受信したスマート機器は、タッチ操作が検出されるか、着用操作又は脱ぐ操作が検出されるか、及びユーザーの顔画像が採集されるかに基づいて、自体がユーザーの操作状態であるかを判断し、また、制御機器からユーザーの操作状態である機器の識別子を取得して、自体がユーザーの操作状態であるかを判断する。前記方式は簡単であり、容易に実現できる。
【００５７】
本発明では、スマート機器が、制御機器からユーザーの操作状態である機器の別子を取得して、現在のユーザーの操作状態である機器を確定して、メッセージを前記機器に送信するようにして、ユーザーが適時に照会することが便利になる。
【００５８】
本発明では、スマート機器は、検出された操作に基づいて、制御機器にそれぞれの状態を報告する。例えば、スマート機器がスマート端末である場合、ユーザーのタッチ操作、把持操作、着用操作などが検出されるとき、制御機器にユーザーの操作状態である通知をすべてが報告することができて、制御機器が、記憶された対応する状態をユーザーの操作状態として表記することができる。相応的に、スマート機器がこれらの操作を検出していない、又は画面ロックが検出され、又は脱ぐ操作などが検出されると、制御機器にユーザーの操作取消し状態である通知を報告して、制御機器が適時にそれぞれのスマート機器の状態を変更するようにし、どのスマート機器がユーザーの操作状態であるかを判断するスマート機器に影響を与えることを防止できる。
【００５９】
本発明では、スマート機器は、制御機器からのメッセージを、例えば、スクリーン等に表示して、適時にユーザーの注意を喚起するように通知して、ユーザーが重要なメッセージを見逃すことを防止できる。また、メッセージを受信したスマート機器、即ち、ユーザーの操作状態であるスマート機器の場合、受信したメッセージに対しても通知する。
【００６０】
本発明では、制御機器は、ユーザーの操作状態であることを確認される機器のメッセージを受信したときに、ユーザーの操作状態である機器の情報を取得するとともに、当該情報をスマート機器に返還する。これで、メッセージを受信したスマート機器が適時にそのメッセージをユーザーの操作状態であるスマート機器に送信するようにし、これによって、ユーザーが適時に新しいメッセージを受信するように通知して、ユーザーが新しいメッセージを適時に照会することが便利なり、重要なメッセージを見逃すことが防止でき、ユーザーの便宜を図り、ユーザーの体験性を最適化することができる。
【００６１】
本発明では、制御機器は、受信した操作状態である通知に基づいて、前記スマート機器の状態を記憶する。例えば、前記通知が操作状態である通知であれば、前記スマート機器に対応する状態をユーザーの操作状態であるとして記憶し、前記通知が操作取消し状態である通知であれば、前記スマート機器に対応する状態をユーザーの取消し操作状態であるとして記憶する。これによって、制御機器が適時にそれぞれのスマート機器の状態を変更して、どのスマート機器がユーザーの操作状態であるスマート機器であるかを判断するに影響を与えることを防止できる。
【００６２】
本発明では、制御機器は、スマート機器との最初の接続を確立する際に、さらに、前記スマート機器の外観画像を記憶することができる。このようにして、制御機器がユーザーの操作状態であるスマート機器を照会できなかったときに、ユーザーに対して位置測定を行い、ユーザーの周囲設定範囲内のスマート機器の画像情報を取得し、画像情報に基づいて前記スマート機器が記憶されたスマート機器であると判断するとき、前記スマート機器をユーザーの操作状態であるスマート機器として確定する。このような方式を介して、制御機器がユーザーの操作状態であるスマート機器の状態を適時に更新しなかったとき、画像情報を介して容易にユーザーの操作状態であるスマート機器を確定して、ユーザーが新しいメッセージを受信するように適時に通知する。
【００６３】
なお、前記一般的な記載及び後述の詳細な記載は、単なる例示的で解釈的な記載であり、本発明を限定しない。
【図面の簡単な説明】
【００６４】
以下の図面は、明細書に組み入れて本明細書の一部分を構成し、本発明に該当する実施例を例示するとともに、明細書とともに本発明の原理を解釈する。
【図１】本発明の一例示的な実施例に係るメッセージ送信方法を示すフローチャートである。
【図２】本発明の一例示的な実施例に係る他のメッセージ送信方法を示すフローチャートである。
【図３】本発明の一例示的な実施例に係る他のメッセージ送信方法を示すフローチャートである。
【図４】本発明の一例示的な実施例に係る他のメッセージ送信方法を示すフローチャートである。
【図５】本発明の一例示的な実施例に係るメッセージ送信方法を応用する場面を示す説明図である。
【図６】本発明の一例示的な実施例に係るメッセージ送信装置を示すブロック図である。
【図７】本発明の一例示的な実施例に係る他のメッセージ送信装置を示すブロック図である。
【図８】本発明の一例示的な実施例に係る他のメッセージ送信装置を示すブロック図である。
【図９】本発明の一例示的な実施例に係る他のメッセージ送信装置を示すブロック図である。
【図１０】本発明の一例示的な実施例に係る他のメッセージ送信装置を示すブロック図である。
【図１１】本発明の一例示的な実施例に係る他のメッセージ送信装置を示すブロック図である。
【図１２】本発明の一例示的な実施例に係る他のメッセージ送信装置を示すブロック図である。
【図１３】本発明の一例示的な実施例に係る他のメッセージ送信装置を示すブロック図である。
【図１４】本発明の一例示的な実施例に係る他のメッセージ送信装置を示すブロック図である。
【図１５】本発明の一例示的な実施例に係る他のメッセージ送信装置を示すブロック図である。
【図１６】本発明の一例示的な実施例に係る他のメッセージ送信装置を示すブロック図である。
【図１７】本発明の一例示的な実施例に係る他のメッセージ送信装置を示すブロック図である。
【図１８】本発明の一例示的な実施例に係る他のメッセージ送信装置を示すブロック図である。
【図１９】本発明の一例示的な実施例に係る他のメッセージ送信装置を示すブロック図である。
【図２０】本発明の一例示的な実施例に係る他のメッセージ送信装置を示すブロック図である。
【図２１】本発明の一例示的な実施例に係る他のメッセージ送信装置を示すブロック図である。
【図２２】本発明の一例示的な実施例に係るメッセージ送信装置に応用される一構造を示す説明図である。
【図２３】本発明の一例示的な実施例に係るメッセージ送信装置に応用される一構造を示す説明図である。
【発明を実施するための形態】
【００６５】
以下、例示的な実施例を詳しく説明し、その例示を図面に示す。以下の記載が図面に関わる場合、特に別の説明がない限り、異なる図面における同一符号は、同じ又は類似する要素を示す。以下の例示的な実施形態に記載の実施例は、本発明と一致する全ての実施例を代表するものではない。それらは、特許請求の範囲に記載の本発明のある側面に一致する装置及び方法の例に過ぎない。
【００６６】
本発明に記載の用語は、特定の実施例を説明する目的で使用されるものに過ぎず、本発明を限定するものではない。本発明及び添付された特許請求の範囲に記載の単数形式の「１種類」、「前記」及び「当該」は、前後の文章においてそれぞれ他の意味を含有すると明確に記載される以外には、複数の形式も含む。なお、本発明に記載の「及び／又は」は、挙げられる事項の１つ又は複数の何れ又は全ての組み合わせを意味する。
【００６７】
また、本発明は、第１の、第２、第３の等の用語を使って各種の情報を説明するが、それらの情報は前記用語に限定されない。それらの用語は、同一種類の情報同士を区分するためのものに過ぎない。例えば、本発明の範囲から逸脱しない範囲で、第１の情報を第２の情報と称しても良い。同じように、第２の情報を第１の情報と称してもよい。ここで使っている用語「……場合」は、上下文の意味によって、「……時」或は「……と」又は「確定に応じる」に解釈されてもよい。
【００６８】
図１に示すように、図１は、本発明の一例示的な実施例に係るメッセージ送信方法を示すフローチャートである。前記方法は、スマート機器に応用可能であり、以下のようなステップを含んでもよい。
【００６９】
ステップ１０１：メッセージを受信する。
【００７０】
本発明のスマート機器は端末、ウェアラブル機器、スマート家電が含まれ、端末は、インターネットにアクセス可能な機能を備える、例えば具体的に、携帯電話、タブレットＰＣ、ＰＤＡ（Ｐｅｒｓｏｎａｌ Ｄｉｇｉｔａｌ Ａｓｓｉｓｔａｎｔ）などのいずれのスマート端末であってもよい。ウェアラブル機器は、スマートフォン、スマート腕時計、スマートブレスレット、スマートメガネなどが含んでもよい。スマート家電機器は、スマートＴＶ、スマートエアコンなどが含んでもよい。ここで、スマート機器は、Ｗｉ-Ｆｉ（Ｗｉｒｅｌｅｓｓ Ｆｉｄｅｌｉｔｙ）ネットワークを介してルータにアクセスし、ルータを介して公衆ネットワークのサーバを訪問し、ルータによってそれぞれのスマート機器との間のデータ通信を実現できる。本発明のルータは、スマートルータ機器として、従来のルータ機能を備えることだけでなく、独立したオペレーティングシステム及びディスクをさらに含むことができ、前記ディスクの記憶領域の大きさは、需要に応じて、例えば、１Ｔに柔軟に設定することができる。
【００７１】
ステップ１０２：ユーザーの操作状態であるかを判断する。
【００７２】
本発明のステップでは、メッセージを受信したスマート機器は、必ずユーザーの操作状態であるスマート機器であると言うことができない。例えば、ユーザーのスマートフォンがショートメッセージを受信したが、スマートフォンは、ユーザーにより机の上に置かれ、ユーザーはソファーに座ってスマートＴＶを見ているので、ユーザーは机の上にあるスマートフォンのメッセージ通知音を聞くことができない。このような状況では、スマートＴＶがユーザーの操作状態であるスマート機器である。
【００７３】
ステップ１０３：ユーザーの操作状態でないと、ユーザーの操作状態である機器を確認し、メッセージをユーザーの操作状態である機器に送信する。
【００７４】
メッセージを受信したスマート機器がユーザーの操作状態でないと、受信したメッセージをユーザーの操作状態である機器に送信して、ユーザーに新しいメッセージを受信されたことを適時に通知する必要がある。
【００７５】
本発明では、メッセージを受信したスマート機器がユーザーの操作状態ではないと、ユーザーの操作状態である機器を確認して、受信したメッセージをユーザーの操作状態であるスマート機器に送信することにより、ユーザーが新しいメッセージを受信するように適時に通知して、ユーザーが新しいメッセージを適時に照会することが便利になり、重要なメッセージを見逃すことを防止でき、ユーザーの便宜を図ることができ、ユーザーの体験性を最適化することができる。
【００７６】
図２に示すように、図２は、本発明の一例示的な実施例に係るメッセージ送信方法を示すフローチャートであり、前記方法は、スマート機器に応用可能であり、以下のようなステップを含んでもよい。
【００７７】
ステップ２０１：メッセージを受信する。
【００７８】
本発明のステップでは、スマートフォンがメッセージを受信する場合を例に挙げて説明する。実際の応用において、メッセージを受信する機器は、さらにタブレットＰＣなどであってもよい。スマートフォンが受信するメッセージは、着信、ショートメッセージ、ソーシャルネットワーク情報、インスタントメッセージング、アプリのプッシュ通知などが含んでもよい。
【００７９】
ステップ２０２：タッチ操作が存在するかを判断する。
【００８０】
本発明のステップでは、検出されるタッチ操作は、画面に対するタッチ操作や、端末の他の部分を把持する操作が含んでもよい。
【００８１】
ステップ２０３：タッチ操作が検出されると、ユーザーの操作状態であると判断する。設定された時間帯内に前記タッチ操作が検出されない、又は画面ロックが検出されると、ユーザーの操作取消し状態であると判断する。
【００８２】
前記設定された時間帯は、例えば、数秒乃至十数秒の時間帯であってもよい。
【００８３】
また、ステップ２０２乃至ステップ２０３で、メッセージを受信したスマート機器がユーザーの操作状態であるかを確認することは、以下のような方式によって実現されてもよい。即ち、
一つの公開の方式において、端末はまた、ユーザーの着用操作が検出されるか、又はユーザーの脱ぐ操作が検出されるかを判断することができ、
着用操作が検出されると、端末がユーザーの操作状態であると判断して、脱ぐ操作が検出されると、ユーザーの操作取消し状態であると判断する。
【００８４】
この方式は、主に前記スマート機器が、例えば、スマートメガネ、スマートブレスレットなどのウェアラブル機器である場合の操作である。
【００８５】
一つの公開の方式において、端末はまた、フロントカメラを利用して前方画像を取得し、顔画像技術を利用して撮影した前方画像からユーザーの顔画像が検出されるかを判断し、
ユーザーの顔画像が検出されると、ユーザーの操作状態であると判断し、ユーザーの顔画像が検出されない場合、ユーザーの操作取消し状態であると判断する。
【００８６】
一つの公開の方式において、現在の操作状が取得されない場合、端末はまた、制御機器に操作状態である機器を取得する要求を送信する。前記制御装置は、それぞれのスマート機器に接続され、また、それぞれのスマート機器の操作状態を維持する機器、例えば、ルータである。
【００８７】
そして、端末は、制御機器が送信するユーザーの操作状態である機器の識別子を受信し、端末は、受信された識別子が自身の識別子と一致するかを判断し、
受信された識別子が自身の識別子と一致すると、ユーザーの操作状態であると判断し、受信した識別子が自身の識別子と一致しない場合、ユーザーの操作取消し状態であると判断する。
【００８８】
ステップ２０４：ユーザーの操作状態でないと、制御機器にユーザーの操作状態である機器を取得する要求を送信する。
【００８９】
また、前記ステップでユーザーの取消し操作状態であると判断されると、即ち、ユーザーの操作状態でないと、制御機器に前記要求を送信する。
【００９０】
ステップ２０５：制御機器が送信するユーザーの操作状態である機器の識別子を受信する。
【００９１】
本発明の実施例では、制御機器は、それぞれのスマート機器の識別子と対応する状態が記憶される。前記状態は、ユーザーの操作状態、及びユーザーの操作取消し状態を含む。
【００９２】
ステップ２０６：前記メッセージをユーザーの操作状態である機器に送信する。
【００９３】
メッセージを受信したスマート機器は、制御機器が返還する識別子に基づいてメッセージを前記識別子に対応するユーザー操作状態である機器に送信する。
【００９４】
また、本発明の実施例は、以下のステップ２０７乃至ステップ２０８をさらに含んでもよい。なお、本発明の実施例は、以下のステップ２０７乃至ステップ２０８と、前記ステップ２０１乃至ステップ２０６とは前後関係が限定されない。つまり、必ずしもステップ２０６の後で実行することはない。事実上、ステップ２０７乃至ステップ２０８は、スマート端末と制御機器が接続を確立した後のいずれか時刻に行ってもよい。
【００９５】
ステップ２０７：ユーザーの操作状態を検出する。
【００９６】
本発明のステップでは、制御機器に接続されたスマート機器は、自体がユーザーの操作状態であるかを検出する。
【００９７】
ステップ２０８：ユーザーの操作状態であることが検出されると、制御機器にユーザーの操作状態である通知を送信し、ユーザーの操作取り消し状態であることが検出されると、制御機器にユーザーの操作取消し状態である通知を送信する。
【００９８】
ここで、ユーザーの操作状態であることが検出されるとは、ユーザーのタッチ操作の検出、着用操作の検出、又はユーザーの顔識別技術を利用して、フロントカメラで撮影した前方画像からのユーザーの顔画像の検出中のいずれか一方を含んでもいる。
【００９９】
制御機器にユーザーの操作状態である通知を送信するとは、制御機器に自体の識別子を携帯するユーザーの操作状態である通知を送信することを含んで、制御機器が記憶された識別子に対応する状態をユーザーの操作状態として表記する。
【０１００】
本発明のステップでは、ユーザーの操作取り消し状態であることが検出されるとは、プリセット時間内にユーザーのタッチ操作が検出されないこと、画面ロックが検出されること、ユーザーの脱ぐ操作が検出されること、プリセット時間内に顔識別技術を利用して、フロントカメラで撮影した前方画像からユーザーの顔画像が検出されないことのうち、いずれか一方を含んでもよい。
【０１０１】
前記操作を介して、制御機器にそれぞれのスマート機器の状態を適時に通知して、制御機器がそれぞれのスマート機器の状態を適時に変更するようにすることで、どのスマート機器がユーザーの操作状態であるスマート機器かを判断するのに影響することを防止できる。
【０１０２】
また、本発明の実施例は、以下のステップ２０９乃至ステップ２１０をさらに含んでもよい。なお、本発明の実施例は、以下のステップ２０９乃至ステップ２１０と、前記ステップ２０１乃至ステップ２０８との前後関係を限定しない。
【０１０３】
ステップ２０９：制御機器が転送した他のスマート端末が受信したメッセージを受信する。
【０１０４】
本発明のステップでは、ユーザーの操作状態であるスマート機器は、制御機器が送信した他のスマート機器が送信したメッセージを受信する。
【０１０５】
ステップ２１０：他のスマート端末が受信したメッセージを表示する。
【０１０６】
本発明のステップでは、ユーザーの操作状態であるスマート機器がＴＶやコンピュータであれば、ＴＶやコンピュータはその画面に前記メッセージを表示し、ユーザーの操作状態であるスマート機器がスマートメガネであれば、スマートメガネはそのグラスに前記メッセージを表示する。従って、ユーザーが適時に新しいメッセージを照会することが便利になり、重要なメッセージを見逃すことを防止でき、ユーザーの便宜を図り、ユーザーの体験性を最適化することができる。
【０１０７】
図３に示すように、図３は、本発明の一例示的な実施例に係る他のメッセージ送信方法を示すフローチャートである。前記方法は、制御機器に応用可能であり、以下のようなステップを含んでもよい。
【０１０８】
ステップ３０１：それぞれのスマート機器との接続を確立する。
【０１０９】
本発明では、制御機器は、それぞれのスマート機器に接続され、また、それぞれのスマート機器の操作状態を維持する機器を含んでもよい。
【０１１０】
ステップ３０２：ユーザーの操作状態である機器を確認するメッセージを受信すると、ユーザーの操作状態である機器の情報を取得する。
【０１１１】
本発明の実施例では、スマート機器に、相互に接続されるそれぞれのスマート機器の識別子と、ユーザー操作の状態及びユーザーの操作取消し状態を含む対応する操作状態が記憶される。
【０１１２】
ステップ３０３：ユーザーの操作状態である機器の情報を返す。
【０１１３】
本発明では、制御機器が返還する機器の情報は、機器の識別子であってもよい。
【０１１４】
本発明では、制御機器は、受信した操作状態である通知に基づいて、前記スマート機器の状態を記憶する。例えば、前記通知が操作状態である通知であれば、前記スマート機器に対応する状態をユーザーの操作状態であるとして記憶し、前記通知が操作取消し状態である通知であれば、前記スマート機器に対応する状態をユーザーの取消し操作状態であるとして記憶する。これによって、制御機器が適時にそれぞれのスマート機器の状態を変更して、どのスマート機器がユーザーの操作状態であるスマート機器であるかを判断するに影響を与えることを防止できる。
【０１１５】
図４に示すように、図４は、本発明の一例示的な実施例に係る他のメッセージ送信方法を示すフローチャートである。前記方法は、制御機器に応用可能であり、以下のようなステップを含んでもよい。
【０１１６】
ステップ４０１：それぞれのスマート機器とワイヤレスネットワークを介して接続を確立して、それぞれのスマート機器の識別子を取得して記憶する。
【０１１７】
本発明では、制御機器はルータであってもよい。ルータは、無線通信モジュールを備える、それぞれのスマート機器、例えば、スマート端末、ウェアラブル機器、スマート家電と接続を確立可能であり、また、既に接続を確立したそれぞれのスマート機器の識別子を記憶する。
【０１１８】
ステップ４０２：カメラを介してスマート機器の外観画像を取得して、前記スマート機器の外観画像とスマート機器の識別子を対応して記憶する。
【０１１９】
ステップ４０３：スマート機器が送信する操作状態である通知又は操作の取消し状態通知を受信し、相応的に、前記スマート機器の最新操作状態を記憶する。
【０１２０】
接続を確立した後、それぞれのスマート機器は、自体の操作状態を制御機器に送信して記憶する。前記図１及び図２に示された実施例を組み合わせて見ると、スマート機器は、自体がユーザーの操作状態であるか、ユーザーの操作取消し状態であるかを判断することができ、制御機器は、対応する前記スマート機器の状態を表記して記憶する。
【０１２１】
ステップ４０４：ユーザーの操作状態である機器を確認するメッセージを受信すると、ユーザーの操作状態である機器の情報を照会する。
【０１２２】
すでに接続を確立した１つのスマート機器がメッセージを受信すると、制御機器は、前記スマート機器が送信するユーザーの操作状態である機器を確認するメッセージを受信する。
【０１２３】
ステップ４０５：ユーザーの操作状態である機器の情報を照会すると、前記機器情報をスマート機器に送信し、ユーザーの操作状態である機器の情報が照会されないと、室内位置測定技術を利用して、ユーザーの現在位置を測定する。
【０１２４】
ステップ４０６：カメラを利用して、ユーザーの周囲設定範囲内のスマート機器の情報を取得する。
【０１２５】
ここで、設定範囲は、ユーザーの位置を遠心にして、半径が１メートルの円形区域内の範囲であってもよい。ここで、カメラは、ルータ自体が携帯したカメラであってもよく、スマート機器に設けられたカメラであってもよい。
【０１２６】
ステップ４０７：取得した画像情報と記憶されたスマート機器の外観イメージをマッチングさせて類似度（ｓｉｍｉｌａｒｉｔｙ）を取得し、前記類似度が所定の限界値よりも大きい場合、前記画像情報に対応するスマート機器をユーザーの操作状態であるスマート機器として確定する。
【０１２７】
本発明のステップでは、制御機器は、採集した画像情報とステップ２０２で記憶した画像をマッチングさせる。この方式では、ユーザーが、前記類似度が所定の限界値よりも大きいスマート機器を操作しなくても、そのスマート機器がユーザーより距離が比較的近いため、受信したメッセージに対して通知すると、ユーザーの注意を容易に喚起させることができる。従って、前記類似度が所定の限界値よりも大きいスマート機器をユーザーの操作状態のスマート機器として確定する。
【０１２８】
ステップ４０８：確定されたユーザーの操作状態であるスマート機器の機器情報を、メッセージを受信するスマート機器に送信する。
【０１２９】
図５に示すように、図５は、本発明の一例示的な実施例に係るメッセージ送信方法を応用する場面を示す説明図である。図５に示された場面には、メッセージを受信するスマート機器であるスマートフォン、制御機器であるルータ、ユーザーの操作状態であるスマート機器としてのスマートＴＶを含む。
【０１３０】
スマートフォン、スマートＴＶなどのユーザーのスマート機器は、すべてが事前にルータとの接続を確立し、ルータにはそれぞれの接続を確立したスマート機器の識別子が記憶される。それぞれのスマート機器は、それぞれの操作状態を制御機器に送信し、制御機器は、それぞれの操作状態と識別子を対応して記憶する。スマートフォンがメッセージを受信し、タッチ操作が存在するかを判断する。設定された時間帯内にタッチ操作が検出されない場合、ユーザーの操作取消し状態であると判断する。スマートフォンは、受信したメッセージをルータに送信して、ルータは記憶されたそれぞれのスマート機器の状態を照会し、スマートＴＶがユーザーの操作状態であることが照会されると、受信されたメッセージをスマートＴＶに送信する。
【０１３１】
図５に図示されたアプリケーションのシーンからメッセージの送信を実現する具体的な過程は、前述した図１〜図４の説明を参照するとなるので、ここでこれ以上説明しない。
【０１３２】
前述したメッセージ送信方法の実施例に対応するように、本発明は、メッセージ送信装置とメッセージ送信装置が応用される端末とルータの実施例を提供する。
【０１３３】
図６に示すように、図６は、本発明の一例示的な実施例に係るメッセージ送信装置を示すブロック図である。前記装置は、第１のメッセージ受信モジュール６１０、判断モジュール６２０、及び第１のメッセージ送信モジュール６３０を備えてもよい。
【０１３４】
第１のメッセージ受信モジュール６１０は、メッセージを受信するように構成される。
【０１３５】
判断モジュール６２０は、ユーザーの操作状態であるかを判断するように構成される。
【０１３６】
第１のメッセージ送信モジュール６３０は、判断モジュール６２０によりユーザーの操作状態ではないと判断されると、ユーザーの操作状態である機器を確認して、前記メッセージをユーザーの操作状態である機器に送信するように構成される。
【０１３７】
前記実施例では、メッセージを受信したスマート機器がユーザーの操作状態ではないと、ユーザーの操作状態である機器を確認して、受信したメッセージをユーザーの操作状態であるスマート機器に送信することにより、ユーザーが新しいメッセージを受信するように適時に通知して、ユーザーが新しいメッセージを適時に照会することが便利になり、重要なメッセージを見逃すことを防止でき、ユーザーの便宜を図ることができ、ユーザーの体験性を最適化することができる。
【０１３８】
図７に示すように、図７は、本発明の一例示的な実施例に係る他のメッセージ送信装置を示すブロック図である。前記実施例は、図６に示された実施例に加え、判断モジュール６２０は、タッチ判断サブモジュール６２１、第１の操作状態判断サブモジュール６２２、及び第１の操作取消し状態判断サブモジュール６２３を備えてもよい。
【０１３９】
タッチ判断サブモジュール６２１は、タッチ操作が存在するかを判断するように構成される。
【０１４０】
第１の操作状態判断サブモジュール６２２は、タッチ判断サブモジュール６２１が前記タッチ操作を検出すると、ユーザーの操作状態であると判断するように構成される。
【０１４１】
第１の操作取消し状態判断サブモジュール６２３は、タッチ判断サブモジュール６２１が設定された時間帯内にタッチ操作を検出できない、又は画面ロックを検出できると、ユーザーの操作取消し状態であると判断するように構成される。
【０１４２】
前記実施例では、メッセージを受信したスマート機器は、タッチ操作が検出されるかに基づいて、自体がユーザーの操作状態であるかを判断する。この方式は簡単であり、容易に実現され、判断正確度が高い。
【０１４３】
図８に示すように、図８は、本発明の一例示的な実施例に係る他のメッセージ送信装置を示すブロック図である。前記実施例は、図６に示された実施例に加え、判断モジュール６２０は、操作判断サブモジュール６２４、第２の操作状態判断サブモジュール６２５、及び第２の操作取消し状態判断サブモジュール６２６を備えてもよい。
【０１４４】
操作判断サブモジュール６２４は、ユーザーの着用操作が検出されるか、又はユーザーの脱ぐ操作が検出されるかを判断するように構成される。
【０１４５】
第２操作状態判断サブモジュール６２５は、操作判断サブモジュール６２４が着用操作を検出すると、ユーザーの操作状態であると判断するように構成される。
【０１４６】
第２の操作取消し状態判断サブモジュール６２６は、操作判断サブモジュール６２４が脱ぐ操作を検出すると、ユーザーの操作取消し状態であると判断するように構成される。
【０１４７】
前記実施例では、メッセージを受信したスマート機器は、着用操作又は脱ぐ操作が検出されるかに基づいて、自体がユーザー操作状態であるかを判断する。この方式は、ウェアラブル機器に応用され、簡単かつ容易に実現されて判断正確度が高い。
【０１４８】
図９に示すように、図９は、本発明の一例示的な実施例に係る他のメッセージ送信装置を示すブロック図である。前記実施例は、図６に示された実施例に加え、判断モジュール６２０は、前方画像取得サブモジュール６２７、検出サブモジュール６２８、第３の操作状態判断サブモジュール６２９、及び第３の操作取消し状態判断サブモジュール６２１０を備えてもよい。
【０１４９】
ここで、前方画像取得サブモジュール６２７は、フロントカメラを利用して前方画像を取得するように構成される。
【０１５０】
検出サブモジュール６２８は、顔識別技術を利用して、前方画像取得サブモジュール６２７が取得した前方画像からユーザーの顔画像が検出されるかを判断するように構成される。
【０１５１】
第３の操作状態判断サブモジュール６２９は、検出サブモジュール６２８が顔画像を検出すると、ユーザーの操作取消し状態であると判断するように構成される。
【０１５２】
第３の操作取消し状態判断サブモジュール６２１０は、検出サブモジュール６２８が顔画像を検出されなかった場合、ユーザーの操作取消し状態であると判断するように構成される。
【０１５３】
前記実施例では、メッセージを受信したスマート機器は、ユーザーの顔画像が検出されるかに基づいて、自体がユーザー操作状態であるかを判断し、ユーザーの顔画像を検出できる場合、ユーザーはスマート機器との距離が非常に近いことを説明する。このようなスマート機器は、自体が携帯したカメラによって実現でき、簡単で、且つ容易に実現され、判断正確度が高い。
【０１５４】
図１０に示すように、図１０は、本発明の一例示的な実施例に係る他のメッセージ送信装置を示すブロック図である。前記実施例は、図６に示された実施例に加え、判断モジュール６２０は、第１の要求送信サブモジュール６２１１、第１の識別子受信サブモジュール６２１２、識別子判断サブモジュール６２１３、第４の操作状態判断サブモジュール６２１４、及び第４の操作の取消し状態判断サブモジュール６２１５を備えてもよい。
【０１５５】
第１の要求送信サブモジュール６２１１は、現在の操作状態が取得されないと、制御機器に操作状態である機器を取得する要求を送信するように構成される。前記制御装置は、それぞれのスマート機器に接続され、且つ、それぞれの前記スマート機器の操作状態を維持する機器である。
【０１５６】
第１の識別子受信サブモジュール６２１２は、制御機器が送信するユーザーの操作状態である機器の識別子を受信するように構成される。
【０１５７】
識別子判断サブモジュール６２１３は、第１の識別子受信サブモジュール６２１２が受信した識別子が自身の識別子と一致するかを判断するように構成される。
【０１５８】
第４の操作状態判断サブモジュール６２１４は、識別子判断サブモジュール６２１３が受信した識別子が自身の識別子と一致すると判断する場合、ユーザーの操作状態であると判断するように構成される。
【０１５９】
第４の操作の取消し状態判断サブモジュール６２１５は、識別子判断サブモジュール６２１３が受信した識別子が自身の識別子と一致していないと判断する場合、ユーザーの操作取消し状態であると判断するように構成される。
【０１６０】
前記実施例では、メッセージを受信したスマート機器は、ユーザーの操作状態である機器の識別子と自体の識別子が一致するかに基づいて、自体がユーザーの操作状態であるかを判断する。この方式は、容易に実現され、判断正確度が高い。
【０１６１】
図１１に示すように、図１１は、本発明の一例示的な実施例に係る他のメッセージ送信装置を示すブロック図である。前記実施例は、図６に示された実施例に加え、第１のメッセージ送信モジュール６３０は、第２の要求送信サブモジュール６３１、及び第２の識別子受信サブモジュール６３２をさらに備えてもよい。
【０１６２】
第２要求送信サブモジュール６３１は、制御機器にユーザーの操作状態である機器を取得する要求を送信するように構成される。前記制御装置は、それぞれのスマート機器に接続され、且つ、それぞれの前記スマート機器の操作状態を維持する機器である。
【０１６３】
第２の識別子受信サブモジュール６３２は、制御機器が送信するユーザーの操作状態である機器の識別子を受信するように構成される。
【０１６４】
図１２に示すように、図１２は、本発明の一例示的な実施例に係る他のメッセージ送信装置を示すブロック図である。前記実施例は、図６〜図１１の中のいずれか１つの図面に示された実施例に加え、前記装置は、第１の検出モジュール６４０、及び第１の通知送信モジュール６５０をさらに備えてもよい。
【０１６５】
第１の検出モジュール６４０は、ユーザーの操作状態を検出するように構成される。
【０１６６】
第１の通知送信モジュール６５０は、第１の検出モジュール６４０がユーザーの操作状態であることを検出すると、制御機器のユーザーの操作状態である通知を送信するように構成される。
【０１６７】
前記実施例では、端末はユーザーの操作状態を適時に制御機器に通知して、制御機器が記憶された状態を適時に更新するようにする。
【０１６８】
前記第１の通知送信モジュール６５０は、制御機器に自体の識別子を携帯するユーザーの操作状態である通知を送信して、前記制御機器が記憶された前記識別子に対応する状態をユーザーの操作状態として表記するように構成される。
【０１６９】
前記第１の通知送信モジュール６５０は、ユーザーのタッチ操作、着用操作を検出する、又は顔識別技術を利用して、フロントカメラで撮影した前方画像からユーザーの顔画像を検出するように構成される。
【０１７０】
図１３に示すように、図１３は、一例示的な実施例に係る他のメッセージ送信装置を示すブロック図である、前記実施例は、図６〜図１１の中のいずれか１つの図面に示された実施例に加え、前記装置は、第２の検出モジュール６６０、及び第２の通知送信モジュール６７０をさらに備えてもよい。
【０１７１】
ここで、第２の検出モジュール６６０は、ユーザーの操作状態を検出するように構成される。
【０１７２】
第２の通知送信モジュール６７０は、第２の検出モジュール６６０がユーザーの操作取消し状態であることを検出すると、制御機器にユーザーの操作取消し状態である通知を送信するように構成される。
【０１７３】
ここで、第２の通知送信モジュール６７０は、プリセット時間内にユーザーのタッチ操作が検出されない、画面ロックが検出される、ユーザーの脱ぐ操作が検出される、又はプリセット時間内に顔識別技術を利用して、フロントカメラで撮影した前方画像からユーザーの顔画像が検出されないように構成される。
【０１７４】
前記実施例では、端末はユーザーの操作取消し状態を制御機器に適時に通知して、制御機器が記憶された状態を適時に更新するようにする。
【０１７５】
図１４は、本発明の一例示的な実施例に係る他のメッセージ送信装置を示すブロック図である。前記実施例は、前述した図６〜図１１の中のいずれか１つの図面に示された実施例に加え、前記装置は、第２のメッセージ受信モジュール６８０、及びディスプレイモジュール６９０をさらに備えてもよい。
【０１７６】
第２メッセージ受信モジュール６８０は、制御機器が転送した他のスマート機器が受信したメッセージを受信するように構成される。
【０１７７】
ディスプレイモジュール６９０は、第２のメッセージ受信モジュール６８０が受信する、他のスマート端末が受信したメッセージを表示するように構成される。
【０１７８】
ここで、ディスプレイモジュール６９０は、具体的に、前記他のスマート端末が受信したメッセージをスクリーン又はガラスにディスプレイするように構成される。
【０１７９】
前記実施例では、ユーザーの操作状態であるスマート機器は、メッセージを受信した後、適時に表示し、ユーザーが新しいメッセージを適時に照会するように通知して、重要なメッセージを見逃すことを防止できる。
【０１８０】
前記図６〜図１４に示されたメッセージ送信装置の実施例は、端末に応用することができる。
【０１８１】
図１５に示すように、図１５は、本発明の一例示的な実施例に係る他のメッセージ送信装置を示すブロック図である。前記装置は、接続確立モジュール７１０、機器情報取得モジュール７２０、及び機器情報返還モジュール７３０を備えてもよい。
【０１８２】
接続確立モジュール７１０は、それぞれのスマート機器との接続を確立するように構成される。
【０１８３】
機器情報取得モジュール７２０は、ユーザーの操作状態である機器を確認するメッセージを受信すると、ユーザーの操作状態である機器の情報を取得するように構成される。
【０１８４】
機器情報返還モジュール７３０は、機器情報取得モジュール７２０が取得したユーザーの操作状態である機器の情報を返すように構成される。
【０１８５】
前記実施例では、制御機器は、ユーザーの操作状態であることを確認される機器のメッセージを受信したときに、ユーザーの操作状態である機器の情報を取得するとともに、当該情報をスマート機器に返還する。これで、メッセージを受信したスマート機器が適時にそのメッセージをユーザーの操作状態であるスマート機器に送信するようにし、これによって、ユーザーが適時に新しいメッセージを受信するように通知して、ユーザーが新しいメッセージを適時に照会することが便利なり、重要なメッセージを見逃すことが防止でき、ユーザーの便宜を図り、ユーザーの体験性を最適化することができる。
【０１８６】
図１６に示すように、図１６は、本発明の一例示的な実施例に係る他のメッセージ送信装置を示すブロック図である。前記実施例は、前述した図１５に示された実施例に加え、前記装置は、第１の通知受信モジュール７４０、及び第１の記憶モジュール７５０をさらに備えてもよい。
【０１８７】
第１の通知受信モジュール７４０は、スマート機器が送信する操作状態である通知を受信するように構成される。
【０１８８】
第１の記憶モジュール７５０は、第１の通知受信モジュール７４０が受信したスマート機器の最新操作状態を記憶するように構成される。
【０１８９】
前記実施例では、制御機器は、スマート機器が送信する通知に基づいて、ユーザーの操作状態であるスマート機器の状態を適時に記憶し、更新する。
【０１９０】
図１７に示すように、図１７は、本発明の一例示的な実施例に係る他のメッセージ送信装置を示すブロック図である。前記実施例は、前述した図１５に示された実施例に加え、前記装置は、第２の通知受信モジュール７６０、及び第２の記憶モジュール７７０をさらに備えてもよい。
【０１９１】
第２通知受信モジュール７６０は、スマート機器が送信する操作取消し状態である通知を受信するように構成される。
【０１９２】
第２記憶モジュール７７０は、第２の通知受信モジュール７６０が受信したスマート機器の最新操作状態を記憶するように構成される。
【０１９３】
前記実施例では、制御機器は、スマート機器が送信する通知に基づいて、ユーザーの操作取消し状態であるスマート機器の状態を適時に記憶し、更新する。
【０１９４】
図１８に示すように、図１８は、本発明の一例示的な実施例に係る他のメッセージ送信装置を示すブロック図である。前記実施例は、前述した図１５に示された実施例に加え、前記装置は、第３のメッセージ受信モジュール７８０、及び第２のメッセージ送信モジュール７９０をさらに備えてもよい。
【０１９５】
第３のメッセージ受信モジュール７８０は、スマート機器が送信する、スマート機器が受信した新しいメッセージを受信するように構成される。
【０１９６】
第２メッセージ送信モジュール７９０は、第３のメッセージ受信モジュール７８０が受信したメッセージを、ユーザーの操作状態であるスマート機器に送信するように構成される。
【０１９７】
ここで、機器情報取得モジュール７２０は、ユーザーの操作状態である機器の情報を照会するように構成される。
【０１９８】
前記実施例では、制御機器は、スマート機器が受信した新しいメッセージを、ユーザーの操作状態であるスマート機器に送信して、ユーザーがメッセージを適時に照会することが便利になる。
【０１９９】
図１９に示すように、図１９は、本発明の一例示的な実施例に係る他のメッセージ送信装置を示すブロック図である。前記実施例は、前述した図１５〜図１８の中のいずれか１つの図面に示された実施例に加え、接続確立モジュール７１０は、識別子取得サブモジュール７１１、及び識別子記憶サブモジュール７１２を備えてもよい。
【０２００】
識別子取得サブモジュール７１１は、それぞれのスマート機器の識別子を取得するように構成される。
【０２０１】
識別子記憶サブモジュール７１２は、識別子取得サブモジュール７１１が取得したそれぞれのスマート機器の識別子を記憶するように構成される。
【０２０２】
図２０に示すように、図２０は、本発明の一例示的な実施例に係る他のメッセージ送信装置を示すブロック図である。前記実施例は、前述した図１５〜図１８の中のいずれか１つの図面に示された実施例に加え、接続確立モジュール７１０は、画像取得サブモジュール７１３、及び画像記憶サブモジュール７１４を備えてもよい。
【０２０３】
画像取得サブモジュール７１３は、スマート機器との最初の接続を確立するときに、スマート機器の外観イメージを取得するように構成される。
【０２０４】
画像記憶サブモジュール７１４は、画像取得サブモジュール７１３が取得したスマート機器の前記外観イメージとスマート機器識別子を対応して記憶するように設定される。
【０２０５】
ここで、画像取得サブモジュール７１３は、カメラを利用して、それぞれのスマート機器の外観イメージを採集して記憶するように構成される。
【０２０６】
図２１に示すように、図２１は、本発明の一例示的な実施例に係る他のメッセージ送信装置を示すブロック図である。前記実施例は、前述した図２０に示された実施例に加え、機器情報取得モジュール７２０は、位置測定サブモジュール７２１、画像情報取得サブモジュール７２２、及び確定サブモジュール７２３を備えてもよい。
【０２０７】
位置測定サブモジュール７２１は、ユーザーの操作状態である機器の情報が照会されないと、室内位置測定技術を利用して、ユーザーの現在の位置を測定するように構成される。
【０２０８】
画像情報取得サブモジュール７２２は、位置測定サブモジュール７２１が位置測定した、ユーザーの周囲設定範囲内のスマート機器の画像情報を取得するように構成される。
【０２０９】
確定サブモジュール７２３は、画像情報取得サブモジュール７２２が取得した画像情報と記憶されたスマート機器の外観イメージをマッチングさせて類似度（ｓｉｍｉｌａｒｉｔｙ）を取得し、類似度が所定の限界値よりも大きい場合、画像情報に対応するスマート機器をユーザーの操作状態であるスマート機器として確定するように構成される。
【０２１０】
ここで、画像情報取得サブモジュール７２２は、カメラを利用して、ユーザーの周囲設定範囲内のスマート機器の画像情報を採集するように構成される。
【０２１１】
前記実施例では、制御機器は、スマート機器との最初の接続を確立する際に、さらに前記スマート機器の識別子及び外観イメージを記憶することができる。このようにして、制御機器がユーザーの操作状態であるスマート機器を照会しなかった場合、ユーザーに対して位置測定して、ユーザーの周囲設定範囲内のスマート機器の画像情報を取得し、画像情報に基づいて前記スマート機器が記憶されたスマート機器である判断されるとき、前記スマート機器をユーザーの操作状態であるスマート機器として確定する。前記方式を介して、制御機器では、ユーザーの操作状態であるスマート機器の状態を適時に更新できなかった場合、画像情報を介してユーザーの操作状態であるスマート機器を簡単に確定することができ、ユーザーが新しいメッセージを受信するように適時に通知することができる。
【０２１２】
図１５〜図２１に示されたメッセージ送信装置の実施例は、ルータに応用することができる。
【０２１３】
前記装置中のそれぞれのユニットの機能及び作用の実現過程は、前記方法の対応するステップの実現過程を具体的に参考すればよいので、ここで贅言して説明しない。
【０２１４】
装置の実施例は、基本的に方法の実施例に対応するため、関連する部分は、方法の実施例の部分の説明を参照すればいい。上述した装置の実施例は、単に例示的なものである。特に、前記分離部品として説明したユニットは、物理的に分離されたものであってもよく、又は分離されていないものであってもよい。ユニットとして表示される部品は、物理ユニットであってもよく、物理ユニットではなくてもよい。即ち、一箇所に位置してもよく、又は複数のネットワークユニットに分布されてもよい。実際の需要に応じて、その中の一部モジュール又は全部モジュールを選択して、本発明の技術的案の目的を達成することができる。当業者は、創造的な労働をしない前提で、理解して実施することができる。
【０２１５】
相応的に、本発明は、端末をさらに提供し、前記端末は、プロセッサーと、プロセスによって実行可能な命令を記憶するメモリと、を備え、ここで、前記プロセッサーは、
メッセージを受信し、
ユーザーの操作状態であるかを判断し、
ユーザーの操作状態でないと、ユーザーの操作状態である機器を確認して、前記メッセージを前記ユーザーの操作状態である機器に送信するように構成される。
【０２１６】
相応的に、本発明は、ルータをさらに提供し、前記ルータは、プロセッサーと、プロセッサーによって実行可能な命令を記憶するメモリと、を備え、ここで、前記プロセッサーは、
それぞれのスマート機器との接続を確立し、
ユーザーの操作状態である機器を確認するメッセージを受信すると、ユーザーの操作状態である機器の情報を取得し、
ユーザーの操作状態である機器の情報を返すように構成される。
【０２１７】
図２２に示すように、図２２は一例示的実施例に係るメッセージ送信装置２２００に応用される一構造を示す概略図である。例えば、装置２２００はルータとして提供されてもよい。図２２を参照すると、装置２２００は、１つ以上のプロセッサーがさらに含まれた処理ユニット２２２２と、処理ユニット２２２２により実行可能な命令、例えばアプリケーションプログラムを記憶するメモリ２２３２を代表とするメモリリソースとを含む。メモリ２２３２に記憶されたアプリケーションプログラムは、１つ以上のそれぞれが一組の命令に対応するモジュールを含んでもよい。また、前記いずれか１つの実施例に提供された方法を実行するために、処理ユニット２２２２は命令を実行するように配置される。
【０２１８】
装置２２００は、装置２２００の電源管理を実行するように配置された電源ユニット２２２６と、装置２２００をインターネットに接続させるように配置された有線又は無線ネットワークインターフェース２２５０と、入力/出力（Ｉ/Ｏ）インターフェース２２５８とを有してもよい。装置２２００はメモリ２２３２に記憶された操作システム、例えばＷｉｎｄｏｗｓ（登録商標） Ｓｅｒｖｅｒ、Ｍａｃ ＯＳ Ｘ、Ｕｎｉｘ（登録商標）, Ｌｉｎｕｘ（登録商標）、ＦｒｅｅＢＳＤなどに基づいて操作できる。
【０２１９】
図２３に示すように、図２３は、本発明の一例示的な実施例に係るメッセージ送信装置２３００に応用される一構造を示す概略図である。例えば、装置２３００は、ルート機能を有する携帯電話、コンピュータ、デジタルブロードキャスト端末、メッセージ送受信機、ゲーム機、タブレットデバイス、医療機器、フィットネス機器、ＰＤＡ等のものであってもよい。
【０２２０】
図２３を照会すると、装置２３００は、処理ユニット２３０２、メモリ２３０４、電源ユニット２３０６、マルチメディアユニット２３０８、オーディオユニット２３１０、入力/出力（Ｉ/Ｏ）インターフェース２３１２、センサーユニット２３１４、及び通信ユニット２３１６からなる群から選ばれる少なくとも１つを有してもよい。
【０２２１】
処理ユニット２３０２は、一般的には、装置２３００の全体の操作、例えば、表示、電話呼び出し、データ通信、カメラ操作及び記録操作に関連する操作を制御する。処理ユニット２３０２は、上述した方法におけるステップの一部又は全部を実現できるように、命令を実行する少なくとも１つのプロセッサー２３２０を有してもよい。また、処理ユニット２３０２は、他のユニットとのインタラクションの便宜を図るように、少なくとも１つのモジュールを有してもよい。例えば、処理ユニット２３０２は、マルチメディアユニット２３０８とのインタラクションの便宜を図るように、マルチメディアモジュールを有してもよい。
【０２２２】
メモリ２３０４は、装置２３００での操作をサポートするように、各種のデータを記憶するように配置される。これらのデータは、例えば、装置２３００で何れのアプリケーション又は方法を操作するための命令、連絡先データ、電話帳データ、メッセージ、画像、ビデオ等を含む。メモリ２３０４は、何れの種類の揮発性又は不揮発性メモリ、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｏｒｙ）、磁気メモリ、フラッシュメモリ、磁気ディスク、或いは光ディスクにより、或いはそれらの組み合わせにより実現することができる。
【０２２３】
電源ユニット２３０６は、装置２３００の各種ユニットに電力を供給するためのものであり、電源管理システム、１つ又は複数の電源、及び装置２３００のために電力を生成、管理及び分配することに関連する他のユニットを有してもよい。
【０２２４】
マルチメディアユニット２３０８は、装置２３００とユーザーとの間に出力インターフェースを提供するスクリーンを有してもよい。スクリーンは、例えば、液晶ディスプレイ（ＬＣＤ）やタッチパネル（ＴＰ）を有してもよい。スクリーンは、タッチパネルを有する場合、ユーザーからの入力信号を受信するように、タッチスクリーンになることができる。また、タッチパネルは、タッチや、スライドや、タッチパネル上の手振りを感知するように、少なくとも１つのタッチセンサーを有する。タッチセンサーは、タッチやスライド動作の境界を感知できるだけではなく、タッチやスライド操作と関連する持続時間や圧力も感知できる。一実施例では、マルチメディアユニット２３０８は、フロントカメラ及び/又はバックカメラを有してもよい。装置２３００が、例えば、撮影モードやビデオモードのような操作モードにある時、フロントカメラ及び/又はバックカメラが外部のマルチメディアデータを受信できる。フロントカメラ及びバックカメラのそれぞれは、固定の光学レンズ系であってもよいし、焦点距離及び光学ズーム能力を有するものであってもよい。
【０２２５】
オーディオユニット２３１０は、オーディオ信号を出力及び/又は入力するように配置される。例えば、オーディオユニット２３１０は、マイクロフォン（ＭｉＣ）を有してもよい。装置２３００が、例えば、呼び出しモード、記録モード、又は音声認識モードのような操作モードにあるとき、マイクロフォンは、外部のオーディオ信号を受信するように配置される。受信したオーディオ信号は、メモリ２３０４にさらに記憶されてもよいし、通信ユニット２３１６を介して送信されてもよい。一実施例では、オーディオユニット２３１０は、オーディオ信号を出力するためのスピーカをさらに有してもよい。
【０２２６】
Ｉ/Ｏインターフェース２３１２は、処理ユニット２３０２と外部のインターフェースモジュールとの間にインターフェースを提供するためのものである。前記外部のインターフェースモジュールは、キーボードや、クリックホイールや、ボタン等であってもよい。これらのボタンは、ホームボタンや、音量ボタンや、スタートボタンや、ロックボタンであってもよいが、それらに限らない。
【０２２７】
センサーユニット２３１４は、装置２３００のために各方面の状態を評価する少なくとも１つのセンサーを有してもよい。例えば、センサーユニット２３１４は、装置２３００のオン/オフ状態や、ユニットの相対的な位置を検出することができる。例えば、前記ユニットは、装置２３００のディスプレイ及びキーパッドである。センサーユニット２３１４は、装置２３００又は装置２３００の１つのユニットの位置の変化、ユーザーによる装置２３００への接触の有無、装置２３００の方向又は加速/減速、装置２３００の温度変化などを検出することができる。センサーユニット２３１４は、何れの物理的な接触もない場合に付近の物体を検出するように配置される近接センサーを有してもよい。センサーユニット２３１４は、画像ングアプリケーションに用いるための光センサー、例えば、ＣＭＯＳ又はＣＣＤ画像センサーを有してもよい。一実施例では、当該センサーユニット２３１４は、加速度センサー、ジャイロスコープセンサー、磁気センサー、圧力センサー又は温度センサーをさらに有してもよい。
【０２２８】
通信ユニット２３１６は、装置２３００と他の設備の間との無線又は有線通信の便宜を図るように配置される。装置２３００は、例えば、ＷｉＦｉ、２Ｇ又は３Ｇ、又はそれらの組み合わせの通信標準に基づく無線ネットワークにアクセスできる。１つの例示的な実施例では、通信ユニット２３１６は、ブロードキャストチャンネルを介して外部のブロードキャスト管理システムからのブロードキャスト信号又はブロードキャストに関する情報を受信する。１つの例示的な実施例では、前記通信ユニット２３１６は、近距離通信を促進するために近距離無線通信（ＮＦＣ）モジュールをさらに有してもよい。例えば、ＮＦＣモジュールは、無線周波数認識（ＲＦＩＤ：Ｒａｄｉｏ Ｆｒｅｑｕｅｎｃｙ ＩＤｅｎｔｉｆｉｃａｔｉｏｎ）技術、赤外線データ協会（ＩｒＤＡ：Ｉｎｆｒａｒｅｄ Ｄａｔａ Ａｓｓｏｃｉａｔｉｏｎ）技術、超広帯域無線（ＵＷＢ：Ｕｌｔｒａ Ｗｉｄｅ Ｂａｎｄ）技術、ブルートゥース（ＢＴ：Ｂｌｕｅｔｏｏｔｈ（登録商標））技術及び他の技術によって実現されてもよい。
【０２２９】
例示的な実施例では、装置２３００は、上述した方法を実行するために、１つ又は複数の特定用途向け集積回路（ＡＳＩＣ：Ａｐｐｌｉｃａｔｉｏｎ Ｓｐｅｃｉｆｉｃ Ｉｎｔｅｇｒａｔｅｄ Ｃｉｒｃｕｉｔ）、デジタル信号プロセッサー（ＤＳＰ：Ｄｉｇｉｔａｌ Ｓｉｇｎａｌ Ｐｒｏｃｅｓｓｏｒ）、デジタル信号処理デバイス（ＤＳＰＤ：Ｄｉｇｉｔａｌ Ｓｉｇｎａｌ Ｐｒｏｃｅｓｓｉｎｇ Ｄｅｖｉｃｅ）、プログラマブルロジックデバイス（ＰＬＤ：Ｐｒｏｇｒａｍｍａｂｌｅ Ｌｏｇｉｃ Ｄｅｖｉｃｅ）、書替え可能ゲートアレイ（ＦＰＧＡ：Ｆｉｅｌｄ−Ｐｒｏｇｒａｍｍａｂｌｅ Ｇａｔｅ Ａｒｒａｙ）、コントローラ、マイクロコントローラ、マイクロプロセッサー、又は他の電子機器によって実現されてもよい。
【０２３０】
例示的な実施例では、命令を有する非一時的コンピュータ読み取り可能な記録媒体、例えば、命令を有するメモリ２３０４をさらに提供する。この命令は、装置２３００のプロセッサー２３２０により実行されて上述した方法を実現する。例えば、前記非一時的コンピュータ読み取り可能な記録媒体は、ＲＯＭ、ＲＡＭ、ＣＤ-ＲＯＭ、磁気テープ、フロッピーディスク（登録商標）及び光データメモリ等であってもよい。
【０２３１】
非一時的コンピュータ読み取り可能な記録媒体は、前記記録媒体における命令がモバイル端末のプロセッサーにより実行されると、モバイル端末がメッセージ送信方法を実行するようにする。前記方法は、
メッセージを受信するステップと、
ユーザーの操作状態であるかを判断するステップと、
ユーザーの操作状態でないと、ユーザーの操作状態である機器を確認して、前記メッセージをユーザーの操作状態である機器に送信するステップと、を含む。
【０２３２】
本発明は、さらに非一時的コンピュータ読み取り可能な記録媒体を提供し、前記記録媒体における命令がルータのプロセッサーにより実行されると、ルータがメッセージ送信方法を実行するようにする。前記方法は、
それぞれのスマート機器との接続を確立するステップと、
ユーザーの操作状態である機器を確認するメッセージを受信すると、ユーザーの操作状態である機器の情報を取得するステップと、
ユーザーの操作状態である機器の情報を返すステップと、を含む。
【０２３３】
当業者は、明細書に対する理解、及び明細書に記載された発明に対する実施を介して、本発明の他の実施形態を容易に取得することができる。本発明は、本発明に対する任意の変形、用途、又は適応的な変化を含み、このような変形、用途、又は適応的な変化は、本発明の一般的な原理に従い、本発明では開示していない本技術分野の公知知識、又は通常の技術手段を含む。明細書及び実施例は、ただ例示的なものであって、本発明の本当の範囲と主旨は、以下の特許請求の範囲によって示される。
【０２３４】
本発明は、前記で記述され、図面で図示した特定の構成に限定されず、その範囲を離脱しない状況で、様々な修正や変更を実施してもよい。本発明の範囲は、添付される特許請求の範囲のみにより限定される。
【０２３５】
本願は、出願番号が２０１５１０５４９２２１．９であって、出願日が２０１５年８月３１日である中国特許出願を基礎として優先権を主張し、当該中国特許出願の内容の全体を本願に援用する。
【手続補正２】
【補正対象書類名】特許請求の範囲
【補正対象項目名】全文
【補正方法】変更
【補正の内容】
【特許請求の範囲】
【請求項１】
メッセージを受信するステップと、
ユーザーの操作状態であるかを判断するステップと、
ユーザーの操作状態でないと、ユーザーの操作状態である機器を確認して、前記メッセージを前記ユーザーの操作状態である機器に送信するステップと、を含むことを特徴とするメッセージ送信方法。
【請求項２】
前記ユーザーの操作状態であるかを判断するステップは、
タッチ操作が存在するかを判断するステップと、
前記タッチ操作が検出されると、ユーザーの操作状態であると判断するステップと、
設定された時間帯内に前記タッチ操作が検出されない、又は画面ロックが検出されると、ユーザーの操作取消し状態であると判断するステップと、を含むことを特徴とする請求項１に記載のメッセージ送信方法。
【請求項３】
前記ユーザーの操作状態であるかを判断するステップは、
ユーザーの着用操作が検出されるか、又はユーザーの脱ぐ操作が検出されるかを判断するステップと、
前記着用操作が検出されると、ユーザーの操作状態であると判断するステップと、
前記脱ぐ操作が検出されると、ユーザーの操作取消し状態であると判断するステップと、を含むことを特徴とする請求項１に記載のメッセージ送信方法。
【請求項４】
ユーザーの操作状態であるかを判断するステップは、
フロントカメラを利用して前方画像を取得するステップと、
顔識別技術を用いて前記前方画像からユーザーの顔画像が検出されるかを判断するステップと、
前記顔画像が検出されると、ユーザーの操作状態であると判断するステップと、
前記顔画像が検出されないと、ユーザーの操作取消し状態であると判断するステップと、を含むことを特徴とする請求項１に記載のメッセージ送信方法。
【請求項５】
ユーザーの操作状態であるかを判断するステップは、
現在の操作状態が取得されないと、制御機器に操作状態である機器を取得する要求を送信するステップと、
前記制御機器が送信する、前記ユーザーの操作状態である機器の識別子を受信するステップと、
受信された識別子が自身の識別子と一致するかを判断するステップと、
受信された識別子が自身の識別子と一致すると、ユーザーの操作状態であると判断するステップと、
受信された識別子が自身の識別子と一致しない場合、ユーザーの操作取消し状態であると判断するステップと、を含み、
前記制御機器は、それぞれのスマート機器に接続され、且つ、それぞれの前記スマート機器の操作状態を維持する機器であることを特徴とする請求項１に記載のメッセージ送信方法。
【請求項６】
前記ユーザーの操作状態である機器を確認するステップは、
制御機器にユーザーの操作状態である機器を取得する要求を送信するステップと、
前記制御機器が送信する、前記ユーザーの操作状態である機器の識別子を受信するステップと、を含み、
前記制御機器は、それぞれのスマート機器に接続され、且つ、それぞれの前記スマート機器の操作状態を維持する機器であることを特徴とする請求項１に記載のメッセージ送信方法。
【請求項７】
ユーザーの操作状態を検出するステップと、
ユーザーの操作状態であることが検出されると、制御機器にユーザーの操作状態である通知を送信するステップをさらに含むことを特徴とする請求項１乃至請求項６のいずれか１項に記載のメッセージ送信方法。
【請求項８】
前記制御機器にユーザーの操作状態である通知を送信するステップは、
制御機器に自体の識別子を携帯するユーザーの操作状態である通知を送信して、前記制御機器が記憶した前記識別子に対応する状態をユーザーの操作状態と表記するようにするステップを含むことを特徴とする請求項７に記載のメッセージ送信方法。
【請求項９】
前記ユーザーの操作状態であることが検出されるステップでは、
ユーザーのタッチ操作、着用操作を検出するステップ、又は顔識別技術を利用して、フロントカメラで撮影した前方画像からユーザーの顔画像を検出するステップ中のいずれか一方のステップを含むことを特徴とする請求項７に記載のメッセージ送信方法。
【請求項１０】
ユーザーの操作状態を検出するステップと、
ユーザーの操作取消し状態であることが検出されると、制御機器にユーザーの操作取消し状態である通知を送信するステップと、をさらに含むことを特徴とする請求項１乃至請求項６のいずれか１項に記載のメッセージ送信方法。
【請求項１１】
前記ユーザーの操作取消し状態であることが検出されるステップでは、
プリセット時間内にユーザーのタッチ操作が検出されないステップ、画面ロックが検出されたステップ、ユーザーの脱ぐ操作が検出されるステップ、又はプリセット時間内に顔識別技術を利用して、フロントカメラで撮影した前方画像から、ユーザーの顔画像が検出されないステップ中のいずれか一方のステップを含むことを特徴とする請求項１０に記載のメッセージ送信方法。
【請求項１２】
制御機器が転送する他のスマート機器が受信したメッセージを受信するステップと、
前記他のスマート機器が受信したメッセージを表示するステップと、をさらに含むことを特徴とする請求項１乃至請求項６のいずれか１項に記載のメッセージ送信方法。
【請求項１３】
前記他のスマート機器が受信したメッセージを表示するステップは、
前記他のスマート機器が受信したメッセージをスクリーン又はガラスにディスプレイするステップを含むことを特徴とする請求項１２に記載のメッセージ送信方法。
【請求項１４】
それぞれのスマート機器との接続を確立するステップと、
ユーザーの操作状態である機器を確認するメッセージを受信すると、ユーザーの操作状態である機器の情報を取得するステップと、
ユーザーの操作状態である機器の情報を返すステップと、を含むことを特徴とするメッセージ送信方法。
【請求項１５】
スマート機器が送信する操作状態である通知を受信するステップと、
前記スマート機器の最新操作状態を記憶するステップと、をさらに含むことを特徴とする請求項１４に記載のメッセージ送信方法。
【請求項１６】
スマート機器が送信する操作取消し状態である通知を受信するステップと、
前記スマート機器の最新操作状態を記憶するステップと、をさらに含むことを特徴とする請求項１４に記載のメッセージ送信方法。
【請求項１７】
スマート機器が送信する、前記スマート機器が受信した新しいメッセージを受信するステップと、
前記メッセージをユーザーの操作状態であるスマート機器に送信するステップと、をさらに含むことを特徴とする請求項１４に記載のメッセージ送信方法。
【請求項１８】
前記ユーザーの操作状態である機器の情報を取得するステップは、
ユーザーの操作状態である機器の情報を照会するステップを含むことを特徴とする請求項１４乃至請求項１７のいずれか１項に記載のメッセージ送信方法。
【請求項１９】
前記それぞれのスマート機器との接続を確立するステップは、
それぞれのスマート機器の識別子を取得するステップと、
それぞれの前記スマート機器の識別子を記憶するステップと、をさらに含むことを特徴とする請求項１４乃至請求項１７のいずれか１項に記載のメッセージ送信方法。
【請求項２０】
それぞれのスマート機器との接続を確立するステップは、
スマート機器と最初の接続を確立する際に、前記スマート機器の外観イメージを取得するステップと、
前記スマート機器の前記外観イメージとスマート機器の識別子を対応するように記憶するステップと、をさらに含むことを特徴とする請求項１４乃至請求項１７のいずれか１項に記載のメッセージ送信方法。
【請求項２１】
前記スマート機器の外観イメージを取得するステップは、
カメラを利用して、それぞれの前記スマート機器の外観イメージを採集して記憶するステップを含むことを特徴とする請求項２０に記載のメッセージ送信方法。
【請求項２２】
前記ユーザーの操作状態である機器の情報を取得するステップは、
ユーザーの操作状態である機器の情報が照会されない場合、室内位置測定技術を利用して、ユーザーの現在位置を測定するステップと、
ユーザーの周囲設定範囲内のスマート機器の画像情報を取得するステップと、
取得した画像情報と記憶されたスマート機器の外観イメージをマッチングさせて類似度（ｓｉｍｉｌａｒｉｔｙ）を取得し、前記類似度が所定の限界値よりも大きい場合、前記画像情報に対応するスマート機器を、ユーザーの操作状態であるスマート機器として確定するステップと、を含むことを特徴とする請求項２０に記載のメッセージ送信方法。
【請求項２３】
前記ユーザーの周囲設定範囲内のスマート機器の画像情報を取得するステップは、
カメラを利用して、ユーザーの周囲設定範囲内のスマート機器の画像情報を採集するステップを含むことを特徴とする請求項２２に記載のメッセージ送信方法。
【請求項２４】
メッセージを受信するように構成される第１のメッセージ受信モジュールと、
ユーザーの操作状態であるかを判断するように構成される判断モジュールと、
ユーザーの操作状態でないと、ユーザーの操作状態である機器を確認して、前記メッセージを前記ユーザーの操作状態である機器に送信するように構成される第１のメッセージ送信モジュールと、を備えることを特徴とするメッセージ送信装置。
【請求項２５】
前記判断モジュールは、
タッチ操作が存在するかを判断するように構成されるタッチ判断サブモジュールと、
前記タッチ操作が検出されると、ユーザーの操作状態であると判断するように構成される第１の操作状態判断サブモジュールと、
設定された時間帯内に前記タッチ操作が検出されない、又は画面ロックが検出されると、ユーザーの操作取消し状態であると判断するように構成される第１の操作取消し状態判断サブモジュールと、を備えることを特徴とする請求項２４に記載のメッセージ送信装置。
【請求項２６】
前記判断モジュールは、
ユーザーの着用操作が検出されるか、又はユーザーの脱ぐ操作が検出されるかを判断するように構成される操作判断サブモジュールと、
前記着用操作が検出されると、ユーザーの操作状態であると判断するように構成される第２の操作状態判断サブモジュールと、
前記脱ぐ操作が検出されると、ユーザーの操作取消し状態であると判断するように構成される第２の操作取消し状態判断サブモジュールと、を備えることを特徴とする請求項２４に記載のメッセージ送信装置。
【請求項２７】
前記判断モジュールは、
フロントカメラを利用して前方画像を取得するように構成される前方画像取得サブモジュールと、
顔識別技術を用いて前記前方画像からユーザーの顔画像が検出されるかを判断するように構成される検出サブモジュールと、
前記顔画像が検出されると、ユーザーの操作状態であると判断するように構成される第３の操作状態判断サブモジュールと、
前記顔画像が検出されないと、ユーザーの操作取消し状態であると判断するように構成される第３の操作取消し状態判断サブモジュールと、を備えることを特徴とする請求項２４に記載のメッセージ送信装置。
【請求項２８】
前記判断モジュールは、
現在の操作状態が取得されないと、制御機器に操作状態である機器を取得する要求を送信するように構成される第１の要求送信サブモジュールと、
前記制御機器が送信する、前記ユーザーの操作状態である機器の識別子を受信するように構成される第１の識別子受信サブモジュールと、
受信された識別子が自身の識別子と一致するかを判断するように構成される識別子判断サブモジュールと、
受信された識別子が自身の識別子と一致すると、ユーザーの操作状態であると判断するように構成される第４の操作状態判断サブモジュールと、
受信された識別子が自身の識別子と一致しない場合、ユーザーの操作取消し状態であると判断するように構成される第４の操作取消し状態判断サブモジュールと、を備える、
前記制御機器は、それぞれのスマート機器に接続され、且つ、それぞれの前記スマート機器の操作状態を維持する機器であることを特徴とする請求項２４に記載のメッセージ送信装置。
【請求項２９】
前記第１のメッセージ送信モジュールは、
制御機器にユーザーの操作状態である機器を取得する要求を送信するように構成される第２の要求送信サブモジュールと、
前記制御機器が送信する、前記ユーザーの操作状態である機器の識別子を受信するように構成される第２の識別子受信サブモジュールと、を備える、
前記制御機器は、それぞれのスマート機器に接続され、且つ、それぞれの前記スマート機器の操作状態を維持する機器であることを特徴とする請求項２４に記載のメッセージ送信装置。
【請求項３０】
ユーザーの操作状態を検出するように構成される第１の検出モジュールと、
ユーザーの操作状態であることが検出されると、制御機器にユーザーの操作状態である通知を送信するように構成される第１の通知送信モジュールと、をさらに備えることを特徴とする請求項２４乃至請求項２９のいずれか１項に記載のメッセージ送信装置。
【請求項３１】
前記第１の通知送信モジュールは、
制御機器に自体の識別子を携帯するユーザーの操作状態である通知を送信して、前記制御機器が記憶した前記識別子に対応する状態をユーザーの操作状態と表記するように構成されることを特徴とする請求項３０に記載のメッセージ送信装置。
【請求項３２】
前記第１の通知送信モジュールは、
ユーザーのタッチ操作、着用操作を検出する、又は顔識別技術を利用して、フロントカメラで撮影した前方画像からユーザーの顔画像を検出するように構成されることを特徴とする請求項３０に記載のメッセージ送信装置。
【請求項３３】
ユーザーの操作状態を検出するように構成される第２の検出モジュールと、
ユーザーの操作取消し状態であることが検出されると、制御機器にユーザーの操作取消し状態である通知を送信するように構成される第２の通知送信モジュールと、をさらに備えることを特徴とする請求項２４乃至請求項２９のいずれか１項に記載のメッセージ送信装置。
【請求項３４】
前記第２の通知送信モジュールは、
プリセット時間内にユーザーのタッチ操作が検出されない、画面ロックが検出される、ユーザーの脱ぐ操作が検出される、又はプリセット時間内に顔識別技術を利用して、フロントカメラで撮影した前方画像から、ユーザーの顔画像が検出されないように構成されることを特徴とする請求項３３に記載のメッセージ送信装置。
【請求項３５】
制御機器が転送する他のスマート機器が受信したメッセージを受信するように構成される第２のメッセージ受信モジュールと、
前記他のスマート機器が受信したメッセージを表示するように構成されるディスプレイモジュールと、をさらに備えることを特徴とする請求項２４乃至請求項２９のいずれか１項に記載のメッセージ送信装置。
【請求項３６】
前記ディスプレイモジュールは、
前記他のスマート機器が受信したメッセージをスクリーン又はガラスにディスプレイするように構成されることを特徴とする請求項３５に記載のメッセージ送信装置。
【請求項３７】
それぞれのスマート機器との接続を確立するように構成される接続確立モジュールと、
ユーザーの操作状態である機器を確認するメッセージを受信すると、ユーザーの操作状態である機器の情報を取得するように構成される機器情報取得モジュールと、
ユーザーの操作状態である機器の情報を返すように構成される機器情報返還モジュールと、を備えることを特徴とするメッセージ送信装置。
【請求項３８】
スマート機器が送信する操作状態である通知を受信するように構成される第１の通知受信モジュールと、
前記スマート機器の最新操作状態を記憶するように構成される第１の記憶モジュールと、をさらに備えることを特徴とする請求項３７に記載のメッセージ送信装置。
【請求項３９】
スマート機器が送信する操作取消し状態通知を受信するように構成される第２の通知受信モジュールと、
前記スマート機器の最新操作状態を記憶するように構成される第２の記憶モジュールと、をさらに備えることを特徴とする請求項３７に記載のメッセージ送信装置。
【請求項４０】
スマート機器が送信する、前記スマート機器が受信した新しいメッセージを受信するように構成される第３のメッセージ受信モジュールと、
前記メッセージをユーザーの操作状態であるスマート機器に送信するように構成される第２のメッセージ送信モジュールと、をさらに備えることを特徴とする請求項３７に記載のメッセージ送信装置。
【請求項４１】
前記機器情報取得モジュールは、
ユーザーの操作状態である機器の情報を照会するように構成されることを特徴とする請求項３７乃至請求項４０のいずれか１項に記載のメッセージ送信装置。
【請求項４２】
前記接続確立モジュールは、
それぞれのスマート機器の識別子を取得するように構成される識別子取得サブモジュールと、
それぞれの前記スマート機器の識別子を記憶するように構成される識別子記憶サブモジュールと、を備えることを特徴とする請求項３７乃至請求項４０のいずれか１項に記載のメッセージ送信装置。
【請求項４３】
前記接続確立モジュールは、
スマート機器と最初の接続を確立する際に、前記スマート機器の外観イメージを取得するように構成される画像取得サブモジュールと、
前記スマート機器の前記外観イメージとスマート機器の識別子を対応するように記憶するように構成される画像記憶サブモジュールと、を備えることを特徴とする請求項３７乃至請求項４０のいずれか１項に記載のメッセージ送信装置。
【請求項４４】
前記画像取得サブモジュールは、
カメラを利用して、それぞれの前記スマート機器の外観イメージを採集して記憶するように設定されることを特徴とする請求項４３に記載のメッセージ送信装置。
【請求項４５】
前記機器情報取得モジュールは、
ユーザーの操作状態である機器の情報が照会されない場合、室内位置測定技術を利用して、ユーザーの現在位置を測定するように構成される位置測定サブモジュールと、
ユーザーの周囲設定範囲内のスマート機器の画像情報を取得するように構成される画像情報取得サブモジュールと、
取得した画像情報と記憶されたスマート機器の外観イメージをマッチングさせて類似度（ｓｉｍｉｌａｒｉｔｙ）を取得し、前記類似度が所定の限界値よりも大きい場合、前記画像情報に対応するスマート機器を、ユーザーの操作状態であるスマート機器として確定するように構成される確定サブモジュールと、を備えることを特徴とする請求項４３に記載のメッセージ送信装置。
【請求項４６】
前記画像取得サブモジュールは、
カメラを利用して、ユーザーの周囲設定範囲内のスマート機器の画像情報を採集するように構成されることを特徴とする請求項４３に記載のメッセージ送信装置。
【請求項４７】
プロセッサーと、
前記プロセッサーによって実行可能な命令を記憶するメモリと、を備え、
前記プロセッサーは、
メッセージを受信し、
ユーザーの操作状態であるかを判断し、
ユーザーの操作状態でないと、ユーザーの操作状態である機器を確認して、前記メッセージを前記ユーザーの操作状態である機器に送信するように構成されることを特徴とする端末。
【請求項４８】
プロセッサーと、
前記プロセッサーによって実行可能な命令を記憶するメモリと、を備え、
前記プロセッサーは、
それぞれのスマート機器との接続を確立し、
ユーザーの操作状態である機器を確認するメッセージを受信すると、ユーザーの操作状態である機器の情報を取得して、
ユーザーの操作状態である機器の情報を返すように構成されることを特徴とするルータ。
【請求項４９】
プロセッサーに実行されることにより、請求項１−２３のいずれか１項に記載のメッセージ送信方法を実現する、プログラム。
【請求項５０】
請求項４９に記載のプログラムが記録されたコンピュータ読取可能な記録媒体。
【国際調査報告】
2017531977.tif 000026
2017531977.tif 000027
2017531977.tif 000028
2017531977.tif 000029